(57)【要約】  ＧＥＲＤ及び／又は他の消化性疾患及び／又は他の病態に関連する症状の治療的処置を提供するための装置及び方法が本明細書中に記載される。いくつかの実施形態では、装置は、第１端部部分と、第２端部部分と、支持要素の底面に対して特定の角度で配置された上面と、を有する支持要素を含む。第２端部部分は、第１端部部分を超える高さを有する。上昇要素は、支持要素の第２端部部分の近傍に結合されるように構成される。本体要素は、支持要素又は上昇要素の少なくとも１つに配置されるように構成される。本体要素は、円弧部によって共に連結された第１アーム及び第２アームを有する。【選択図】図２
2015506257.tif 000002
【特許請求の範囲】
【請求項１】
第１端部部分と、第２端部部分と、底面に対して特定の角度で配置された上面と、を有する支持要素であって、前記第２端部部分が、前記第１端部部分の高さを超える高さを有する、支持要素と、
前記支持要素の前記第２端部部分の近傍に結合されるように構成された上昇要素と、
円弧部によって連結された第１アーム及び第２アームを有する本体要素であって、前記支持要素又は前記上昇要素の少なくとも一方に配置されるように構成された本体要素と、を備える装置。
【請求項２】
前記支持要素の前記上面が、前記支持要素の前記底面に対して約６度〜約３０度の角度で配置される、請求項１に記載の装置。
【請求項３】
前記第１アーム及び前記第２アームが前記円弧部の両端から平行に延在する、請求項１に記載の装置。
【請求項４】
前記本体要素の前記円弧部が、約３０度〜約１８０度の湾曲を有する円弧を含む、請求項１に記載の装置。
【請求項５】
前記第１アームが前記第２アームの長さの約半分の長さを有し、前記第１アーム及び前記第２アームがそれぞれ前記円弧部から互いにほぼ平行して延在する、請求項１に記載の装置。
【請求項６】
共に結合された場合の前記上昇要素と前記支持要素との間に、選択した受容部が規定されるように、前記上昇要素が前記支持要素に選択的に調節可能に結合可能である、請求項１に記載の装置。
【請求項７】
４方向伸展材料とポリエステル充填材材料との組み合わせにより前記上昇要素が適合性となることを可能にするように、前記上昇要素が、前記４方向伸展材料によって形成されたケーシングと、前記ケーシング内に配置された前記ポリエステル充填材材料と、を含む、請求項１に記載の装置。
【請求項８】
４方向伸展材料とポリエステル充填材材料との組み合わせにより前記本体要素が適合性となることを可能にするように、前記本体要素が、前記４方向伸展材料によって形成されたケーシングと、前記ケーシング内に配置された前記ポリエステル充填材材料と、を含む、請求項１に記載の装置。
【請求項９】
上昇要素及び支持要素が前記上昇要素と前記支持要素との間に受容部を共同で規定するように、クッションシステムの前記上昇要素を前記クッションシステムの前記支持要素に結合するステップであって、前記支持要素が前記支持要素の底面に対して特定の角度で配置された上面を含む、ステップと、
前記支持要素の一部又は前記上昇要素の一部の少なくとも１つに配置するために本体要素を用意するステップであって、前記本体要素が円弧部によって連結された第１アーム及び第２アームを有する、ステップと、を含み、
前記支持要素、前記上昇要素及び前記本体要素が共同で傾斜側位の使用者を支持するように構成され、前記使用者の腕は前記受容部内に配置可能である、方法。
【請求項１０】
前記結合するステップが、前記上昇要素と前記支持要素との間に規定される前記受容部が選択したサイズであるように、前記上昇要素の結合部を前記支持要素の結合部に選択的に結合するステップを含む、請求項９に記載の方法。
【請求項１１】
第１端部部分と、第２端部部分と、底面に対して特定の角度で配置された上面と、を有する支持要素であって、前記第２端部部分が前記第１端部部分の高さを超える高さを有する支持要素と、
本体要素に結合された上昇要素であって、前記本体要素が、前記本体要素の第１部分が前記上昇要素の側部部分から延在し、かつ前記本体要素の第２部分が前記第１部分に対して実質的に垂直に配置される第１の位置と、前記本体要素の前記第１部分が前記上昇要素の上に配置される第２の位置との間において動作されうるように本体要素に結合された上昇要素であり、前記上昇要素が前記本体要素の前記第２端部部分の近傍に配置されると、前記本体要素の前記第２部分は少なくとも部分的に前記支持部に配置されるように構成される、上昇要素と、を備える装置。
【請求項１２】
前記上昇要素が可撓性ヒンジ部によって前記本体要素に結合される、請求項１１に記載の装置。
【請求項１３】
選択した受容部が前記上昇要素と前記支持要素との間に規定されるように、前記上昇要素が前記支持部の前記第２端部部分の近傍に配置されるように構成される、請求項１１に記載の装置。
【請求項１４】
４方向伸展材料とポリエステル充填材材料との組み合わせにより前記上昇要素が適合性となることを可能にするように、前記上昇要素が、前記４方向伸展材料によって形成されたケーシングと、前記ケーシング内に配置された前記ポリエステル充填材材料と、を含む、請求項１１に記載の装置。
【請求項１５】
支持要素部及び上昇要素部を含むクッションシステムであって、前記支持要素部が、第１端部部分と、第２端部部分と、底面に対して特定の角度で配置された上面と、を有し、前記第２端部部分が、前記第１端部部分の高さを超える高さを有し、前記支持要素部及び前記上昇要素部が中に使用者の腕を受容するように構成される受容部を共同で規定する、クッションシステムと、
前記支持要素の前記上面部の一部に配置されるように構成される側部支持部材であって、前記使用者を前記クッションシステム上に側位で維持するように構成された側部支持部材と、を備える装置。
【請求項１６】
前記クッションシステムが、円弧部によって連結された第１アーム及び第２アームを有する本体要素をさらに含む、請求項１５に記載の装置。
【請求項１７】
前記本体要素の前記第１アーム及び前記第２アームが、それぞれ前記円弧部から離れる方にほぼ平行方向に延在し、前記本体要素が前記支持要素部又は前記上昇要素部の少なくとも一方に配置されるように構成される、請求項１６に記載の装置。
【請求項１８】
４方向伸展材料とポリエステル充填材材料との組み合わせにより前記上昇要素が適合性とされることを可能にするように、前記上昇要素が、前記４方向伸展材料によって形成されたケーシングと、前記ケーシング内に配置された前記ポリエステル充填材材料と、を含む、請求項１５に記載の装置。
【請求項１９】
フレーム部材と、
前記フレーム部材に結合されたスリング部材であって、前記スリング部材が前記スリング部材の第１部分と第２部分との間に開口部を規定し、前記スリング部材の前記第１部分が使用者の頭を支持するように構成され、前記スリング部材の前記第２部分が前記第１部分に対して約１０〜約３０度の角度で配置され、前記開口部が前記使用者の腕の少なくとも一部を前記開口部中に受容するように構成される、スリング部材と、
前記開口部の下に配置され、前記開口部内に配置されると、前記使用者の腕の少なくとも一部を支持するように構成されるパッド部材と、を備え、
支持面において支持されるように構成され、かつ傾斜側位の使用者を支持する、装置。
【請求項２０】
円弧部と、前記円弧部から離れる方にそれぞれ延在する第１アーム及び第２アームと、を含む本体要素であって、前記スリング部材に配置されるように構成された本体要素をさらに備える、請求項１９に記載の装置。
【請求項２１】
円弧部と、前記円弧部から離れる方にそれぞれ延在する第１アーム及び第２アームと、を含む本体要素であって、前記本体要素が使用者を側位に維持するように構成され、外部スリーブ部材及び枕挿入物を含む本体要素を備え、
前記外部スリーブ部材が外縁部部分に沿う縫い目を含み、内縁部部分に沿う縫い目を含まない、装置。
【請求項２２】
４方向伸展材料とポリエステル充填材材料との組み合わせにより前記本体要素が適合性となることを可能にするように、前記枕挿入物が、前記４方向伸展材料によって形成された内部ケーシングと、前記内部ケーシング内に配置された前記ポリエステル充填材材料と、を含む、請求項２１に記載の装置。
【請求項２３】
前記枕挿入物が、内部ケーシングと、前記内部ケーシング内に配置されたポリエステル充填材材料と、を含み、前記内部ケーシングが外縁部部分に沿う縫い目を含み、内縁部部分に沿う縫い目を含まない、請求項２１に記載の装置。
【請求項２４】
第１端部部分と、
前記第１端部部分の高さを超える高さを有する第２端部部分と、
底面に対して特定の角度で配置された上面と、
クッション部と、
前記支持要素の堅さ又は高さの少なくとも１つを調節可能に変更するように構成された膨張式チャンバと、を含む支持要素と、
上昇要素であって、前記上昇要素と前記支持要素とが、使用者の腕を受容するように構成される開口部を共同で規定する、上昇要素と、を備える装置。
【請求項２５】
前記クッション部が第１クッション部を含み、前記膨張式チャンバが第１膨張式チャンバを含み、前記上昇要素が第２クッション部及び第２膨張式チャンバを含み、前記第２膨張式チャンバが前記上昇要素の堅さ又は高さの少なくとも１つを調節可能に変更するように構成される、請求項２４に記載の装置。
【請求項２６】
前記クッション部が第１クッション部であり、前記上昇要素が前記第１クッション部と一体的に形成された第２クッション部を含み、前記膨張式チャンバが、さらに、前記上昇要素の堅さ又は高さの少なくとも１つを調節可能に変更するように構成される、請求項２４に記載の装置。
【請求項２７】
複数の支持要素及び複数の上昇要素を含むクッションシステムを備え、前記複数の支持要素の各支持要素が、第１端部部分と、第２端部部分と、底面に対して特定の角度で配置された上面と、を含み、前記複数の支持要素の各支持要素が、前記クッションシステムの支持部の厚さ又は堅さの少なくとも１つを変更するために選択的に交互に積み重ね可能であり、
前記複数の上昇要素の各上昇要素が、前記クッションシステムの上昇部の厚さ又は堅さの少なくとも１つに選択的に交互に積み重ね可能であり、使用者の腕が前記支持部と前記上昇部との間に規定された開口部内に配置された状態で前記上昇部及び前記支持部が共同で傾斜側位の前記使用者を支持するように構成されている、キット。
【請求項２８】
前記複数の支持要素の各支持要素が、異なる密度を有する発泡材料によって形成され、前記複数の上昇要素の各上昇要素が、異なる密度を有する発泡材料によって形成される、請求項２７に記載のキット。
【請求項２９】
前記複数の支持要素の各支持要素が同じ密度を有する発泡材料によって形成され、前記複数の上昇要素の各上昇要素が同じ密度を有する発泡材料によって形成される、請求項２７に記載のキット。
【請求項３０】
複数の積み重ね可能な要素を含むクッションシステムであって、前記複数の積み重ね可能な要素の各積み重ね可能な要素が支持要素及び上昇要素を含み、前記複数の積み重ね可能な要素の少なくとも１つの積み重ね可能な要素が、前記支持要素と前記上昇要素との間に規定された開口部を含む、クッションシステムを含み、
前記各支持要素が、第１端部部分と、第２端部部分と、底面に対して特定の角度で配置された上面と、を含み、
前記クッションシステムの厚さ又は堅さの少なくとも１つを変更するために前記複数の積み重ね可能な要素の各積み重ね可能な要素が選択的に交互に積み重ね可能である、キット。
【請求項３１】
前記複数の積み重ね可能な要素の各積み重ね可能な要素が、異なる密度を有する発泡材料によって形成される、請求項３０に記載のキット。
【請求項３２】
前記複数の積み重ね可能な要素の各積み重ね可能な要素が、同じ密度を有する発泡材料によって形成される、請求項３０に記載のキット。
【請求項３３】
第１端部部分と、第２端部部分と、底面に対して特定の角度で配置された上面と、を有する支持要素であって、前記第２端部部分が前記第１端部部分の高さを超える高さを有する、支持要素と、
前記上昇要素を前記支持要素の前記第２端部部分の近傍に調節可能に結合するように構成されるストラップを含む上昇要素と、を備える装置。
【請求項３４】
４方向伸展材料とポリエステル充填材材料との組み合わせにより前記上昇要素が適合性となることを可能にするように、前記上昇要素が、前記４方向伸展材料によって形成されたケーシングと、前記ケーシング内に配置された前記ポリエステル充填材材料と、を含む、請求項３３に記載の装置。
【請求項３５】
共に結合された場合の前記上昇要素と前記支持要素との間に、選択した受容部が規定されるように、前記上昇要素が前記支持要素に調節可能に結合可能である、請求項３３に記載の装置。
【請求項３６】
前記支持要素の前記上面が前記底面に対して約６度〜約３０度の角度で配置される、請求項３３に記載の装置。
【請求項３７】
使用者の体を治療用クッションシステム上に位置決めするステップであって、前記治療用クッションシステムが、受容部を共同で規定する支持要素及び上昇要素を含み、前記位置決めするステップが、前記使用者の腕が少なくとも部分的に前記受容部内に配置されるように前記使用者の体を傾斜側位に向けるステップを含む、ステップと、
本体要素を前記支持要素の上面に配置するステップであって、前記本体要素が、円弧部と、前記円弧部から離れる方にそれぞれ延在する第１部分及び第２部分と、を含み、前記本体要素が前記使用者を前記治療用クッションシステム上において前記側位に維持するように構成される、ステップと、を含む方法。
【請求項３８】
前記位置決めするステップが、前記使用者が約５度〜２０度の角度で前記治療用クッションシステムに配置されるように前記使用者の体を前記治療用クッションシステム上に位置決めするステップを含む、請求項３７に記載の方法。
【請求項３９】
前記位置決めするステップが、前記使用者の体を前記治療用クッションシステムの実質的に中心位置に位置決めするステップを含む、請求項３７に記載の方法。
【請求項４０】
前記治療用クッションシステムを支持面に配置するステップであって、前記使用者が前記治療用クッションシステムに配置された際に前記治療用クッションシステムに配置された前記使用者の体を維持するために、前記使用者の股関節部が前記支持面に支持されるような長さを前記支持要素が有する、ステップをさらに含む、請求項３７に記載の方法。
【発明の詳細な説明】
【技術分野】
【０００１】
関連出願の相互参照
[1001]  この出願は、２０１２年２月３日に出願された「治療用クッションシステム」と題される米国仮特許出願第６１／５９４，８４０号、２０１２年８月１６日に出願された「治療用クッションシステム及び方法」と題される米国仮特許出願第６１／６８３，９３５号、及び２０１２年１０月８日に出願された「治療用クッションシステム及び方法」と題される米国仮特許出願第６１／７１０，９１３号の優先権及び利益を主張し、この開示のそれぞれはその内容全体が参照により本明細書中に組み込まれる。
【０００２】
[1002]  本明細書中に記載されるいくつかの実施形態は、治療用クッションシステム及び方法に関し、特に、例えば、胃食道逆流症などの種々の病態の治療において使用するための治療用クッションシステム及び方法に関する。
【背景技術】
【０００３】
[1003]  胃食道逆流症（ＧＥＲＤ）は、酸を含む一部消化された胃の内容物が胃から食道に逆流する、すなわち、異常な逆行状態で流れる疾患を表す医学用語である。食道への胃の内容物の逆流は、ＧＥＲＤ患者が睡眠しているときに最も発生し、かつ最大の損傷を生じるものであるため、ＧＥＲＤ患者は逆流が発生していることに気が付かない。
【０００４】
[1004]  いくつかの公知のシステムでは、軽減のために処方箋又は手術を必要としていたであろう状態の症状を効果的に管理又は制御するために枕又は他の支持的装置を使用する。例えば、いくつかの公知の枕のオプションは、首の頚部に集中させた突起物を枕内に有する高枕（elevated pillow）を含み、これは、心疾患、気腫又は他の呼吸困難を患う個人に快適性又はより良好な休息状態を提供することを目的とするものである。このような枕は、脊椎の仙骨領域の下に支持を拡張することを可能としないだけでなく、この枕は仰臥位以外の任意の快適な姿勢を提供しない。
【０００５】
[1005]  いくつかの公知のデバイスは、個人のいびきを最小にするために使用されうる整形外科枕を含む。このような枕はいびきなどの状態に対処するために使用されうるが、このような枕はＧＥＲＤなどの状態を治療するために構成されてはいない場合がある。事実、そのような整形外科枕は、一般に、上昇構成要素（elevation component）を提供するのみであり、ＧＥＲＤ患者の症状を緩和するのに所望されうる任意の他の構成要素に対処することができない。
【０００６】
[1006]  別の公知のシステムは、気管支肺形成異常症又は他の関連する状態の乳児にしばしば見られる頭及び首の過伸展に関連する症状の制御に使用するための、中心部分を有する本体と、２つの羽部と、を含む支持枕を含む。別の公知のシステムは、乳児の頭の水平面全体で支持されていたであろう荷重を分配することによって乳児の姿勢性斜頭症（positional plagiocephaly）を防止するために使用されうる装置を含む。これらシステムは、乳児に利益を与えることができるが、それらの特定の設計及び構造工学は乳児である枕の使用者に基づいている。このような枕は、ＧＥＲＤに罹患している成人又は青年期の使用者の利益を提供するものとして開示されていない。
【０００７】
[1007]  上記した公知のシステムのほとんどは、体全体の支持又は体全体との相互作用への対処を考慮することなく乳児及び／又は頭のみの部位に関連する状態に焦点を当てている。他の公知のシステムは、成人（一般的な抱き枕として）又は乳児（着座姿勢の乳児の支持を補助するため）に適応することを意図した枕を含む。このようなシステムは、しかしながら、胃又は食道疾患に関する症状を軽減するための枕の使用を意図していない。さらに、このような枕は、そのような疾患を制御又は管理するのに特有の必要な特徴に適応していない可能性がある。別の公知のシステムは、持続的な頸背部痛、呼吸性及び消化性疾患の緩和を促進するための、大きな、傾斜のある抱き枕を含むが、そのような枕の大きさは、一般に、通常の個人がベッドで使用する実用的な大きさを超えるものである。
【０００８】
[1008]  従って、上に示した公知の枕システムの欠点に対処することができ、かつ使用者の実用的な、適応性の高い（accommodating）フィット性を維持する一方で、ＧＥＲＤ及び／又は他の病態に関連する症状を管理及び／又は制御するために使用することができる治療用クッションシステム及び方法に対する需要がある。
【発明の概要】
【０００９】
[1009]  ＧＥＲＤ及び／又は他の消化性疾患及び／又は他の病態に関連する症状の治療的処置を提供するための装置及び方法が本明細書中に記載される。いくつかの実施形態では、装置は、第１端部部分と、第２端部部分と、支持要素の底面に対して特定の角度で配置された上面と、を有する支持要素を含む。第２端部部分は、第１端部部分を超える高さを有する。上昇要素が、支持要素の第２端部部分の近傍に結合されるように構成されている。本体要素が、支持要素又は上昇要素の少なくとも１つに配置されるように構成されている。本体要素は、円弧部によって共に連結された第１アーム及び第２アームを有する。
【図面の簡単な説明】
【００１０】
【図１】一実施形態による治療用クッションシステムの概略図である。
【図２】一実施形態による治療用クッションシステムの斜視図である。
【図３】図２の治療用クッションシステムの側面図である。
【図４】図２の治療用クッションシステムの上昇要素及び支持要素の平面図である。
【図５】図２の治療用クッションシステムの本体要素の平面図である。
【図６】図２の治療用クッションシステムの上昇要素及び支持要素の側面斜視図である。
【図７】図２の治療用クッションシステムの支持要素の側面図である。
【図８】図２の治療用クッションシステムの支持要素の正面斜視図である。
【図９】図８の支持要素のクッション部材の側面斜視図である。
【図１０】図２の治療用クッションシステムの上昇要素の正面斜視図である。
【図１１】図１０の上昇要素の部分的に組立前の図である。
【図１２】図１１の上昇要素の側面図である。
【図１３】図２の治療用クッションシステムの本体要素の平面図である。
【図１４】図２の治療用クッションシステムを組み立てる方法を示す図である。
【図１５】上昇要素の位置を図２の治療用クッションシステムの支持要素に対して調整する方法を示す図である。
【図１６】図２の治療用クッションシステムを使用する方法を示す図である。
【図１７】図２の治療用クッションシステムを使用する方法を示す図である。
【図１８】図２の治療用クッションシステムを使用する方法を示す図である。
【図１９】図２の治療用クッションシステムを使用する方法を示す図である。
【図２０】本体要素を異なる構成において示す図２の治療用クッションシステムの斜視図である。
【図２１】本体要素を異なる構成において示す図２の治療用クッションシステムの斜視図である。
【図２２】治療用クッションシステムの使用のための別の向きを示す図２の治療用クッションシステムの斜視図である。
【図２３】治療用クッションシステムの使用のための別の向きを示す図２の治療用クッションシステムの斜視図である。
【図２４】本体要素が異なる構成であり、使用者が異なる姿勢である、使用者によって使用されている図２の治療用クッションシステムを示す図である。
【図２５】別の実施形態による治療用クッションシステムの斜視図である。
【図２６】本体要素の異なる実施形態を示す図である。
【図２７】本体要素の異なる実施形態を示す図である。
【図２８】本体要素の異なる実施形態を示す図である。
【図２９】本体要素の異なる実施形態を示す図である。
【図３０】本体要素の異なる実施形態を示す図である。
【図３１】異なる充填材区分オプションを含む本体要素の異なる実施形態を示す図である。
【図３２】図３２（Ａ）は、第１の構成において示される別の実施形態による治療用クッションシステムの平面図であり、図３２（Ｂ）は、第２の構成において示される図３２（Ａ）の治療用クッションシステムの平面図である。
【図３３】図３２（Ａ）及び図３２（Ｂ）の治療用クッションシステムの側面図である。
【図３４】ベッド上において示される図３２（Ａ）及び図３２（Ｂ）の治療用クッションシステムの斜視図である。
【図３５】治療用クッションシステムに配置された使用者を示す図３２（Ａ）及び図３２（Ｂ）の治療用クッションシステムの斜視図である。
【図３６】任意の枕を備えた別の実施形態による治療用クッションシステムの斜視図である。
【図３７】図３６の治療用クッションシステムの側面図である。
【図３８】図３７の線Ａ−Ａに沿って切った端面図である。
【図３９】側部支持部材が支持要素の両側に示される図３７の治療用クッションシステムの平面図である。
【図４０】図３６の治療用クッションシステムの側部支持部材の断面図である。
【図４１】任意の本体要素を備えた図３６の治療用クッションシステムの平面図である。
【図４２】側部支持部材の別の実施形態の断面図である。
【図４３】任意の枕を備えた別の実施形態による治療用クッションシステムの斜視図である。
【図４４】図４３の治療用クッションシステムの側面図である。
【図４５】図４４の線Ｂ−Ｂに沿って切った端面図である。
【図４６】支持要素の両側に配置された側部支持部材が示される図４３の治療用クッションシステムの平面図である。
【図４７】任意の本体要素を備えた図４３の治療用クッションシステムの平面図である。
【図４８】別の実施形態による治療用クッションシステムの側面図である。
【図４９】図４８の線Ｃ−Ｃに沿って切った、図６１の治療用クッションシステムの端面図である。
【図５０】図４８の治療用クッションシステムのスリング部材の平面図である。
【図５１】任意の本体要素を備えた図４８の治療用クッションシステムのスリング部材の平面図である。
【図５２】図４８の治療用クッションシステムのフレーム及びパッド部材の平面図である。
【図５３】ベッド長型を示す図４８の治療用クッションシステムの側面図である。
【図５４】胴体長型を示す図４８の治療用クッションシステムの側面図である。
【図５５】別の実施形態による治療用クッションシステムの側面図である。
【図５６】別の実施形態による治療用クッションシステムの側面図である。
【図５７】別の実施形態による治療用クッションシステムの側面図である。
【図５８】図５７の治療用クッションシステムの側部分解図である。
【図５９】別の実施形態による治療用クッションシステムの側面図である。
【図６０】図５９の治療用クッションシステムの側部分解図である。
【図６１】一実施形態による支持要素の平面図である。
【図６２】上昇要素の一部の近傍において示される図６１の支持要素の側面図である。
【図６３】図６１の線Ｅ−Ｅに沿って切った図６１の支持要素の正面端面図である。
【図６４】図６１の線Ｄ−Ｄに沿って切った図６１の支持要素の足側端面図（foot end view）である。
【図６５】別の実施形態による支持要素の側面図である。
【図６６】別の実施形態による支持要素の側面図である。
【図６７】別の実施形態による治療用クッションシステムの斜視図である。
【図６８】図６７の治療用クッションシステムの平面図である。
【図６９】図６８の線Ｆ−Ｆに沿って切った図６７の治療用クッションシステムの端面図である。
【図７０】図６７の治療用クッションシステムの側面図である。
【図７１】別の実施形態による治療用クッションシステムの斜視図である。
【図７２】図７１の治療用クッションシステムの平面図である。
【図７３】図７２の線Ｇ−Ｇに沿って切った図７１の治療用クッションシステムの端面図である。
【図７４】図７１の治療用クッションシステムの側面図である。
【図７５】別の実施形態による治療用クッションシステムの平面図である。
【図７６】一実施形態による非滑り特徴部を含む支持要素の平面図である。
【図７７】別の実施形態による非滑り特徴部を含む支持要素の側部斜視図である。
【図７８】非滑り特徴部を含む支持要素の異なる実施形態の平面図である。
【図７９】別の実施形態による治療用クッションシステムの側面斜視図である。
【図８０】図７９の治療用クッションシステムの側部拡張要素の側面斜視図である。
【発明を実施するための形態】
【００１１】
[1072]  ＧＥＲＤ及び／又は他の消化性疾患及び／又は他の病態に関連する症状又は不快の治療的処置を提供するための装置及び方法が本明細書中に記載される。いくつかの実施形態では、本明細書中に記載される治療用クッションシステムは、使用者が実質的に平坦若しくは傾斜右側側臥位（ＲＬＤ）姿勢、又は実質的に平坦若しくは傾斜左側側臥位（ＬＬＤ）姿勢で長時間快適に睡眠することを可能にすることができる。傾斜ＲＬＤ姿勢又は傾斜ＬＬＤ姿勢においては、治療用クッションシステムは胃食道逆流を最小にする又は排除するように機能することができる。例えば、傾斜ＲＬＤ姿勢は、胃を空にして十二指腸に送ることを促進することができ、傾斜ＬＬＤ姿勢は逆流症状発現の減少を促進することができる。
【００１２】
[1073]  いくつかの実施形態では、治療用クッションシステムを使用する方法は、上昇要素及び支持要素が上昇要素と支持要素との間に受容部を共同で規定するように、クッションシステムの上昇要素をクッションシステムの支持要素に結合するステップを含みうる。支持要素は、底面に対して特定の角度で配置された上面を含む。本体要素は支持要素の一部又は上昇要素の一部の少なくとも１つにおける配置のために提供されうる。本体要素は、円弧部によって連結された第１アーム及び第２アームを有する。支持要素、上昇要素尾及び本体要素が共同で傾斜側位の使用者を支持するように構成されており、使用者の腕は受容部内に配置可能である。
【００１３】
[1074]  いくつかの実施形態では、装置は、第１端部部分と、第２端部部分と、底面に対して特定の角度で配置された上面と、を有する支持要素を含む。第２端部部分は第１端部部分の高さを超える高さを有する。上昇要素は、本体要素の第１部分が上昇要素の側部部分から延在し、かつ本体要素の第２部分が第１部分に対して実質的に垂直に配置される第１の位置と、本体要素の第１部分が上昇要素の上に配置される第２の位置との間において本体要素が動作されうるように本体要素に結合されている。上昇要素が本体要素の第２端部部分の近傍に配置されると、本体要素の第２部分は少なくとも部分的に支持部に配置されるように構成されている。
【００１４】
[1075]  いくつかの実施形態では、胃食道逆流症（ＧＥＲＤ）に関連する症状を処置する方法は、使用者の幽門括約筋が使用者の食道括約筋の高さよりも低い高さに配置されるように、使用者が傾斜右側側臥位（ＲＬＤ）姿勢又は傾斜左側側臥位（ＬＬＤ）姿勢で治療用クッションシステムに配置されるように、使用者の体を治療用クッションシステムに配置するステップを含みうる。例えば、使用者は、６度〜３０度の傾斜上面を有する治療用クッションシステムの支持部材に配置されうる。このような実施形態においては、使用者は、例えば、支持部材の密度及び／又はたわみ特性及び／又は使用者の体重などの要素に応じて約５〜２０度の角度で支持部材に配置されうる。使用者の右腕又は左腕は、治療用クッションシステムの支持部材と上昇部材との間に規定された治療用クッションシステムの受容部内に配置されうる。治療用クッションシステムの使用者は、ＧＥＲＤに関連する症状を処置するのに十分な時間傾斜ＲＬＤ位置又はＬＬＤ姿勢に維持されうる。いくつかの実施形態では、この時間は少なくとも１時間である。いくつかの実施形態では、維持するステップは、治療用クッションシステムの本体要素を治療用クッションシステムの上昇要素又は支持要素の少なくとも１つの近傍に配置するステップを含む。
【００１５】
[1076]  いくつかの実施形態では、装置は、支持要素部及び上昇要素部を含むクッションシステムを含む。支持要素部は、第１端部部分と、第２端部部分と、底面に対して特定の角度で配置された上面と、を有する。第２端部部分は、第１端部部分の高さを超える高さを有する。支持要素部及び上昇要素部は、使用者の腕を中に受容するように構成されている受容部を共同で規定し、側部支持部材は支持要素の上面部の一部に配置されるように構成されている。側部支持部材は、使用者をクッションシステム上において側位に維持するように構成されている。
【００１６】
[1077]  いくつかの実施形態では、装置は、フレーム部材と、フレーム部材に結合されたスリング部材と、を含む。スリング部材はスリング部材の第１部分と第２部分との間に開口部を規定する。スリング部材の第１部分は使用者の頭を支持するように構成されており、スリング部材の第２部分は第１部分に対して約６〜約３０度の角度で配置されている。開口部は使用者の腕の少なくとも一部をその中に受容するように構成されている。パッド部材が開口部の下に配置されており、使用者の腕が開口部内に配置されるとその少なくとも一部を支持するように構成されている。装置は、支持面において支持されるように構成されており、傾斜側位の使用者を支持する。
【００１７】
[1078]  いくつかの実施形態では、装置は、円弧部を含む第１端部部分と、円弧部から離れる方にそれぞれ延在する第１アーム及び第２アームと、を有する本体要素を含む。本体要素は使用者を側位に維持するように構成されている。本体要素は、外部スリーブ部材と、枕挿入物と、を含む。外部スリーブ部材は外縁部部分に沿う縫い目を含み、内縁部部分に沿う縫い目を含まない。
【００１８】
[1079]  いくつかの実施形態では、装置は、第１端部部分と、第１端部部分の高さを超える高さを有する第２端部部分と、を含む支持要素を含む。支持要素は、また、底面に対して特定の角度で配置された上面と、クッション部と、支持要素の堅さ及び／又は高さを調節可能に変更するように構成されている膨張式チャンバと、を含む。装置は上昇要素をさらに含む。上昇要素及び支持要素は使用者の腕を受容するように構成された受容部を共同で規定する。
【００１９】
[1080]  いくつかの実施形態では、キットは複数の支持要素及び複数の上昇要素を含むクッションシステムを含む。複数の支持要素の各支持要素は、第１端部部分と、第２端部部分と、底面に対して特定の角度で配置された上面と、を含む。複数の支持要素の各支持要素はクッションシステムの支持部の厚さ又は堅さの少なくとも１つを変更するために別の支持要素の上に選択的に積み重ね可能である。複数の上昇要素の各上昇要素はクッションシステムの上昇部の厚さ又は堅さの少なくとも１つを変更するために別の上昇要素の上に選択的に積み重ね可能である。上昇部及び支持部は共同で傾斜側位の使用者を支持するように構成されており、使用者の腕は支持部と上昇部との間に規定された受容部内に配置されている。
【００２０】
[1081]  いくつかの実施形態では、キットは複数の積み重ね可能な要素を含むクッションシステムを含む。複数の積み重ね可能な要素の各積み重ね可能な要素は支持要素と上昇要素とを含む。各支持要素は、第１端部部分と、第２端部部分と、底面に対して特定の角度で配置された上面と、を含む。複数の積み重ね可能な要素の少なくとも１つの積み重ね可能な要素は支持要素と上昇要素との間に規定された開口部を含む。複数の積み重ね可能な要素の各積み重ね可能な要素はクッションシステムの厚さ又は堅さの少なくとも１つを変更するために別の積み重ね可能な要素の上に選択的に積み重ね可能である。
【００２１】
[1082]  いくつかの実施形態では、装置は支持要素と上昇要素とを含む。支持要素は、第１端部部分と、第２端部部分と、底面に対して特定の角度で配置された上面と、を有する。第２端部部分は、第１端部部分の高さを超える高さを有する。上面は底面に対して約６度〜約３０度の角度で配置されている。上昇要素は上昇要素を支持要素の第２端部部分の近傍に調節可能に結合するように構成されているストラップを含む。
【００２２】
[1083]  図１は、一実施形態による治療用クッションシステムの概略図である。治療用クッションシステム（本明細書中においては「クッションシステム」とも称される）１００は、支持要素１２０（本明細書中においては「くさび支持部」又は「くさび要素」とも称される）と、上昇要素１２２と、本体要素１２４（本明細書中においては「抱き枕」とも称される）と、を含む。上述のように、クッションシステム１００は例えば、ＧＥＲＤ及び／又は他の消化性疾患及び／又は他の病態に関連する症状の処置のために使用されうる。例えば、クッションシステム１００は、使用者が、胃を空にして十二指腸に送ることを促進する一方で胃食道逆流を最小にする又は排除することができる傾斜右側側臥位（ＲＬＤ）姿勢（以下にさらに詳細に記載されるように）又は逆流症状発現の減少を促進しうる傾斜左側側臥位（ＬＬＤ）姿勢で長時間睡眠することを可能にすることができる。
【００２３】
[1084]  支持要素１２０は、種々の異なる形状及び／又はサイズを有しうる。いくつかの実施形態では、支持要素はくさび形（例えば、側面図において）を有する。例えば、支持要素１２０は、角度を成す上面（図１に不図示）を含みうる。いくつかの実施形態では、角度を成す上面は、例えば、支持部材１２０の底面に対して６度〜３０度の角度で配置されうる。換言すると、支持部材１２０は、支持要素１２０の尾側端部部分（本明細書中においては「第１端部部分」とも称される）から支持要素１２０（例えば、使用者の頭に最も近い）の頭側端部部分（本明細書中においては「第２端部部分」とも称される）まで変化する高さ寸法を有しうるものであり、最大高さ寸法は、例えば、支持要素１２０の頭側端部部分にある。特定の実施形態を参照して以下にさらに詳細に記載されるように、支持要素１２０は、支持要素１２０の上面の、例えば、頭側端部又はその近辺に配置された凹状又は陥没部（図１に不図示）を含みうる。凹状部は、例えば、使用者がクッションシステム１００に側臥位姿勢で横になっている際に使用者の下側腋窩の圧を解放するために使用されうる。
【００２４】
[1085]  支持要素１２０は、また、使用時、使用者が支持要素１２０において側臥位姿勢を快適に維持するための適切な胴体角度を容易にすることができる形状を有しうる。例えば、支持要素１２０は、長時間側臥位姿勢で横になっている使用者の快適性を下側の肩又は腕の不快な圧又は痛みなく増加するのを補助することができる湾曲した外側部分を含みうる。いくつかの実施形態では、支持要素１２０は、支持要素１２０の頭側端部に、クッションシステム１００の使用時、さらなる人間工学的腕及び肘配置に適応しうる傾斜かど（beveled corner）を含みうる。
【００２５】
[1086]  支持要素１２０は、種々の異なる長さ、幅及び／又は厚さとされうる。例えば、いくつかの実施形態では、支持要素１２０は、使用時、使用者の脚が支持要素１２０から少なくとも部分的に離れて延びるように一般的なサイズのベッドよりも短い長さを有しうる。そのような支持要素１２０は胴体長を有すると称されうる。いくつかの実施形態では、支持要素１２０は、一般的なベッドの長さとすることができ、本明細書中においてはベッド長を有すると称されうる。いくつかの実施形態では、支持要素１２０は、互いに積み重ねることができる複数の部分を含みうる。
【００２６】
[1087]  支持要素１２０は、外部ケーシング１２１と、外部ケーシング１２１内に配置されうるクッション部材１２３と、を含みうる。支持要素１２０の外部ケーシング１２１は１つ又は複数の材料によって形成されうる。例えば、いくつかの実施形態では、外部ケーシング１２１は、クッションシステム１００の使用時に使用者が接する、第１材料によって形成された上部部分と、使用時に支持要素１２０が配置される支持面（例えば、ベッドの上面）に接する、第２材料によって形成された底部部分と、を含みうる。外部ケーシング１２１の上部部分（例えば、上面）は、例えば、綿／スパンテックス、ナイロン／スパンテックス、ポリエステル／スパンテックス、又は綿、ナイロン又はポリエステルの任意のブレンドをスパンテックス又はエラスタンと組み合わせたブレンドなどの、例えば、高適合性の４方向伸展材料（four-way stretch material）によって形成されうるものであり、底部部分は耐久性を付与するため、綿、ポリエステル又はナイロンの任意の組み合わせを使用して作製された、例えば、ポプリン、帆布、ギャバジン又はツイルなどのより頑丈な材料によって形成されうる。
【００２７】
[1088]  支持要素１２０の外部ケーシング１２１は、クッション部材１２３が挿入されうる開口部を含むことができ、かつ例えば、ジッパー、ボタン、スナップ、フラップ、フック及びループファスナーなどの締結具、又は開口部を閉じるか部分的に閉じるための他の適切な結合方法を含みうる。クッション部材１２３は、例えば、ポリウレタン若しくはゴムラテックス、又は粘弾性ポリウレタン（例えば、形状記憶フォーム（memory foam）などの１つ又は複数の発泡材料によって形成されうる。いくつかの実施形態では、クッション部材１２３は、それぞれが異なる密度及び／又は異なる撓み特性を有する複数の異なる発泡材料を含みうる。別の実施形態においては、クッション部材１２３は１つ又は複数の膨張式チャンバを含みうる。また別の実施形態においては、クッション部材１２３は、内部ケーシング内に配置された、ポリエステル材料などの充填材材料を含みうる。いくつかの実施形態では、支持要素１２０は複数のクッション部材１２３を含みうる。例えば、複数のクッション部材１２３は外部ケーシング１２１内において互いに積み重ねることができる。
【００２８】
[1089]  上昇要素１２２は支持要素１２０に脱着可能に結合されうる。例えば、上昇要素１２２は、支持要素１２０の第２端部部分（すなわち頭側端部部分）の近辺又は近傍において支持要素１２０に結合されうるものであり、使用者の首及び頭を支持するために使用されうる。上昇要素１２２は、支持要素１２０に多様な異なる結合方法によって結合されうる。例えば、いくつかの実施形態では、上昇要素１２２は、支持要素１２０の側方側縁部に沿って支持要素１２０に結合されうる、上昇要素１２２の側方側縁部に沿うストラップを含みうる。ストラップは、支持要素１２０に配置された相手結合部に結合されうる結合部を含みうる。例えば、支持要素１２０にある結合部はボタンとすることができ、上昇要素１２２にある結合部はボタンに結合されるように構成された穴又は開口部とすることができる。別の実施形態においては、他の種類の結合部が含まれうる。例えば、上昇要素１２２は、フック及びループファスナー、スナップ、糸又は繋ぎ材、ジッパー又は任意の他の適切な結合方法によって支持要素１２０に結合されうる。さらに別の実施形態においては、ストラップは、支持要素１２０に設けることができ、かつ上昇要素１２２に結合させることができる。さらに別の実施形態においては、支持要素１２０及び上昇要素１２２は単一の均一な構成要素として形成されうるか、単一の均一な構成要素内に組み込まれうる。
【００２９】
[1090]  いくつかの実施形態では、ストラップは、上昇要素１２２と支持要素１２０とが調節可能に互いに結合されうるように複数の結合部を含みうる。例えば、（上記した）上昇要素１２２にあるストラップは、支持要素１２０上のボタンに選択的に結合させることができる、ストラップの長さに沿って異なる位置に配置された複数の開口部を含みうる。別の実施形態においては、支持要素はストラップにある結合部を選択的に結合させることができる複数の結合部を含みうる。支持要素１２０に対する上昇要素１２２の位置の調整性は、上昇要素１２２において支持されている際に使用者が使用者の頭及び／又は首の角度を調節することを可能にする。加えて、支持要素１２０に対する上昇要素１２２の調整性は、例えば、上昇要素１２２において支持されている際に使用者の頭の高さを変える又はそれに作用するために上昇要素１２２を圧縮することができる。従って、使用者は、上昇要素１２２の所望の位置及び／又は圧縮を実現するために及び／又は異なるサイズの腕を有する使用者に適応するために上昇要素１２２を配置することができる。
【００３０】
[1091]  いくつかの実施形態では、上昇要素１２２は、支持要素の第２端部部分１２０と上昇要素１２２の端部部分との間に受容部が形成されるように支持要素１２０に結合されうる。受容部は、使用者が使用者の腕の少なくとも一部を挿入することができる、例えば、支持要素１２０と上昇要素１２２との間の開口部、空隙、空洞、ポケット、空間又は間隙等とされうる。使用者が腕を挿入すると受容部のサイズが変化しうるように受容部はクッションシステム１００の可撓性又は適合性部分によって規定されうる。例えば、いくつかの実施形態では、使用者が受容部に腕を挿入する際に使用者が支持要素１２０の一部及び／又は上昇要素１２２の一部を動かす又は曲げるように、支持部材１２０の一部は上昇要素１２２の一部に接触しうる。
【００３１】
[1092]  クッションシステム１００の使用時、側位で横になっているとき、使用者は、下側の肩及び腕を受容部内に配置することができる。支持要素１２０と上昇要素１２２との間の受容部内に使用者の腕を挿入すると、また、使用者が支持要素１２０の角度を成す上面上において下方に滑る傾向を軽減することができるとともに、クッションシステム１００の使用時、使用者を側臥位又は側位において安定させることができる。使用者の腕及び肩の位置は、使用者の下側腋窩が支持要素１２０の凹状部内に載るように支持要素１２０と上昇要素１２２との間の受容部内において調整することができる。
【００３２】
[1093]  上昇要素１２２は、外部ケーシング１２７内に配置されうる枕挿入物１２５を含みうる。外部ケーシング１２７は、枕挿入物１２５が挿入されうる開口部を含むことができ、例えば、ジッパー、ボタン、スナップ、フラップ、フック及びループファスナーなどの締結具、又は開口部を閉じるか部分的に閉じるための他の適切な結合方法を含みうる。外部ケーシング１２７は、支持要素１２０に関して上記した外部ケーシング１２１と同じ又は類似の材料によって形成されうる。例えば、外部ケーシング１２７は、４方向伸展材料によって形成された第１部分と、支持要素１２０に関して記載したようなより頑丈な材料によって形成された第２部分と、を含みうる。枕挿入物１２５は、中に充填材材料（図１に不図示）を含みうる内部ケーシング（図１に不図示）を含みうる。充填材材料は、例えば、ポリエステル繊維、束状ポリエステル繊維（clustered polyester fiber）、合成繊維製のダウン代替品、ポリスチレンビーズ／ペレット、裁断された発泡樹脂製品、又はダウンフェザーの任意の組み合わせなどの、例えば、束状ポリエステル繊維材料とされうる。枕挿入物１２５の内部ケーシングは、また、外部ケーシング１２７に関して上記した４方向伸展材料によって形成されうる。枕挿入物１２５の内部ケーシングは、また、充填材材料が挿入されうる開口部を含むことができ、かつ例えば、ジッパー、ボタン、スナップなどの締結具、又は開口部を閉じるか部分的に閉じるための他の適切な結合方法を含みうる。別の実施形態においては、内部ケーシングはそのような開口部を含まなくてもよい。例えば、充填材材料が内部ケーシング内に挿入された後、内部ケーシングは、例えば、縫い目によって閉じることができる。
【００３３】
[1094]  上記した上昇要素１２２の外部ケーシング１２７の４方向伸展材料は、４方向伸展材料によって形成され、かつ束状ポリエステル繊維充填材材料を有する内部ケーシングを有する枕挿入物１２５とともに、上昇要素１２２を展性があるものとし、かつ形状保持性があるものとすることができる。例えば、そのような実施形態においては、使用者はその使用者の要求及び好みのため上昇要素１２２を所望の厚さ及び／又は形状に適合させることができる。例えば、使用者は、上昇要素１２２を、空洞を形成するため、又はそうでなければ使用者の顔、耳、腕等に合わせる又は適合させるために適合又は調節することができる。適合された形状は、長時間及び／又は使用者が枕挿入物１２５の充填材材料を、例えば、上昇要素１２２を振るか膨らませることによって分散させるまで保持されうる。
【００３４】
[1095]  本体要素１２４は、スリーブ部材１３１内に配置されうる枕挿入物１２９を含みうる。スリーブ部材１３１は、枕挿入物１２９が挿入されうる開口部を含むことができ、かつ例えば、ジッパー、ボタン、スナップなどの締結具、又は開口部を閉じるか部分的に閉じるための他の適切な結合方法を含みうる。枕挿入物１２９は、上昇要素１２２に関して上記した枕挿入物１２５と同じか類似するように形成されうる。例えば、枕挿入物１２９は、充填材材料（図１に不図示）を含む内部ケーシング（図１に不図示）を含みうる。充填材材料は、例えば、上昇要素１２２に関して上記した材料などの、例えば、束状ポリエステル繊維材料とされうる。本体要素１２４の内部ケーシングは、例えば、上昇要素１２２の内部ケーシングに関して上記した４方向伸展材料によって形成されうる。スリーブ部材１３１は、例えば、上昇要素１２２及び支持要素１２０に関して上記した４方向伸展材料によって形成されうるか、例えば、ジャージ又はインタロック（interlock）などの２方向伸展材料（two-way stretch material）で構成されうる。従って、上昇要素１２２に関して上記したように、本体要素１２４は、また、所望の形状及び／又は厚さに合うように操作、適合、調節、分散等をされうる。枕挿入物１２９の内部ケーシングは、また、充填材材料が挿入されうる開口部を含むことができ、かつ例えば、ジッパー、ボタン、スナップなどの締結具、又は開口部を閉じるか部分的に閉じるための他の適切な結合方法を含みうる。別の実施形態においては、内部ケーシングはそのような開口部を含まなくてもよい。例えば、充填材材料が内部ケーシング内に挿入された後、内部ケーシングは、例えば、縫い目によって閉じることができる。
【００３５】
[1096]  本体要素１２４は、種々の異なる形状を有することができ、かつ種々の異なるサイズとされうる。例えば、いくつかの実施形態では、本体要素１２４は、本体要素１２４の第１アームと第２アームとを連結する円弧部を頭側端部に含みうる。いくつかの実施形態では、円弧部は、例えば、ほぼ１８０度の湾曲を有しうる。他の実施形態においては、円弧部は、例えば、約３０度〜１８０度の異なる湾曲を有しうる。いくつかの実施形態では、第１アーム及び第２アームは、円弧部から離れる方に互いに平行して延在しうる。いくつかの実施形態では、本体要素１２４の第１アームは、本体要素１２４の第２アームの長さの約半分の長さを有しうる。いくつかの実施形態では、第１アームは第２アームとほぼ同じ長さとされうる。
【００３６】
[1097]  以下にさらに詳細に記載されるように、本体要素１２４は、支持要素１２０及び／又は上昇要素１２２における使用のために種々の異なる形状及び構成に再構成可能とすることができる。任意選択的に、いくつかの実施形態では、本体要素１２４は支持要素１２０及び上昇要素１２２から独立して使用されうる。いくつかの実施形態では、本体要素１２４及び上昇要素１２２は、単一構成要素に一体的に形成されうるか、単一構成要素内に組み込まれうる。そのような実施形態においては、本体要素１２４は、本体要素１２４が折り曲げられていない第１の位置から、及び、本体要素１２４が折り曲げられ、本体要素１２４の一部が上昇要素１２２の一部に配置されるような第２の構成動作から、移動させられうる。いくつかの実施形態では、本体要素１２４が折り曲げ構成と非折り曲げ構成との間において動作されうるように、本体要素１２４及び上昇要素１２２は可撓性ヒンジによって結合されうる。いくつかの実施形態では、可撓性ヒンジは、例えば、布帛材料によって形成されうる。
【００３７】
[1098]  本体要素１２４のスリーブ部材１３１は、枕挿入物１２９がスリーブ部材１３１の一端に規定された開口部を通じて中に挿入されうるように筒状形状に形成されうる。本体要素１２４が、使用時に通常、使用者がスリーブ部材１３１に接触するスリーブ部材１３１の内縁部部分に沿う縫い目を含まないものとなりうるようにスリーブ部材１３１は単一の外縁部に沿う縫い目を含みうる。そのような内部縫い目を有する多くの公知の抱き枕は張力が印加されるとぴんと張ることになりがちな場合があり、その結果、使用者の不自然かつ場合によっては痛みを伴うフィット性となるため、そのような実施形態は使用者の快適性の向上を提供することができる。加えて、外縁部部分に沿う縫い目では、スリーブ部材１３１は、使用時、本体要素１２４の歪みを除去又は低減することができ、これにより、さらに、向上した感触及び快適性を使用者に提供することができる。いくつかの実施形態では、例えば、図２６〜２８を参照して記載されるように、本体要素１２４の、本体要素１２４のさらなる目標とする領域に縫い目が含まれうる。本体要素１２４の枕挿入物１２９の内部ケーシングは、また、スリーブ部材１３１と同じ又は類似の手法で筒状形状に構成されうる。例えば、枕挿入物１２９の内部ケーシングは内部ケーシングの外縁部に沿う縫い目を含むことができ、かつ内縁部に沿う縫い目を含まないものとなりうる。
【００３８】
[1099]  上述のように、使用者は、使用者の要求及び／又は好みに合わせるため、特定の身体部分及び／又は部位を収容するための空洞又は隆起を形成するために本体要素１２４及び／又は上昇要素１２２内の束状ポリエステル繊維充填材材料を操作、適合、分散等をさせることができる。使用者によって形成された形状及び／又は空洞は長時間及び／又は、例えば、上昇要素１２２及び／又は本体要素１２４を振ることによって使用者が上昇要素１２２及び／又は本体要素１２４の充填材材料を分散させるまで保持されうる。４方向伸展材料と束状ポリエステル充填材材料の組み合わせは、充填材材料の再分配を本体要素１２４及び／又は上昇要素１２２の全体にわたり均一な状態で可能にすることができる。本体要素１２４及び／又は上昇要素１２２の再構成可能な充填材材料は、また、いくつかの公知のクッションシステムにおいてそれらの非柔軟な詰め物及び非伸展性材料のために起こりうる充填材材料の望ましくない、不可逆的な移動を最小にすることができる。加えて、本体要素１２４及び／又は上昇要素１２２の束状ポリエステル繊維充填材材料は充填材材料の凝集を引き起こすことなく機械洗浄及び乾燥されうる。充填材材料と上昇要素１２２の枕挿入物１２５の４方向伸展外部ケーシング１２７及び内部ケーシング、並びにスリーブ部材１３１と本体要素１２４の枕挿入物１２９の内部ケーシングの組み合わせは、充填材材料の、実質的にその元の状態への洗濯後の再分配を提供する。
【００３９】
[1100]  いくつかの実施形態では、クッションシステム１００は、本体要素１２４の代替として使用されうる側部支持部材又は部分（図１に不図示）を含みうる。いくつかの実施形態では、上昇要素１２２及び支持要素１２０は単一構成要素として形成されており、使用時に使用者の腕が配置されうる受容部（例えば、空間又は開口部）を規定する。いくつかの実施形態では、クッションシステム１００は、例えば、医療施設において使用されるベッドなどの調節可能なベッドにおいて実施されうる。いくつかの実施形態では、クッションシステム１００はスリング型支持要素及び上昇要素によって実施されうる。例えば、そのような実施形態においては、スリング型支持要素及び上昇要素は、フレーム部材に結合されたスリング部を含みうる。いくつかのそのような実施形態においては、支持脚又は足及び／又はキャスタなどの車輪がフレーム部材に結合されうる。いくつかの実施形態では、クッションシステム１００は使用者がクッションシステム１００の高さ及び／又は堅さを調節することを可能にすることができる１つ又は複数の膨張式チャンバを含みうる。
【００４０】
[1101]  いくつかの実施形態では、クッションシステム１００は、積み重ね可能な要素を含みうる。例えば、いくつかの実施形態では、支持要素１２０は、それぞれがクッション部材及び外部ケーシングを有する複数の別個の積み重ね可能な支持部と、それぞれがクッション部材又は外部ケーシング内の枕挿入物を有する複数の積み重ね可能な上昇要素１２２と、を含みうる。いくつかの実施形態では、クッションシステム１００は、それぞれが、単一構成要素として形成される支持要素及び上昇要素を含む複数の積み重ね可能な要素を含みうる。そのような積み重ね可能な要素を含むクッションシステムの実施形態例は以下にさらに詳細に記載される。
【００４１】
[1102]  上述のように、クッションシステム１００を使用するため、使用者は上昇要素１２２を支持要素１２０に脱着可能に結合することができる。使用者は、上昇要素１２２及び支持要素１２０を互いに結合される前又は後のいずれかにおいて支持面（例えば、ベッドの上面）に配置することができる。本体要素１２４は、支持要素１２０に配置されうるか、本体要素１２４の一部を支持要素１２０に、及び一部を上昇要素１２０に配置されうる。使用者は、その後、使用者が支持要素１２０のほぼ中心部に整列されるように組み立てられたクッションシステム１００にＲＬＤ又はＬＬＤ姿勢で横になることができる。使用者は、使用者の右又は左腕を、本体要素１２４の下方に及び支持要素１２０と上昇要素１２２との間に形成された受容部内に挿入する。任意選択的に、使用者は、使用者の右又は左腕及び肩の位置を、使用者の下側腋窩が支持要素１２０の中央に配置された凹状部内に載るように支持要素１２０と上昇要素１２２との間の受容部内において調節することができる。
【００４２】
[1103]  使用者の腕が支持要素１２０と上昇要素１２２との間の空間内にある状態で、クッションシステム１００は使用者を傾斜ＲＬＤ又はＬＬＤ姿勢に維持することができる。従って、使用者が支持部材１２０の角度を成す部分を滑り落ちる傾向を低減又は排除することができる。使用者をクッションシステム１００にいかに配置することができるかについてのさらなる説明及び詳細は以下に記載される。いくつかの実施形態では、支持要素１２０及び上昇要素１２２は本体要素１２４の使用なしで使用されうる。いくつかの実施形態では、本体要素１２４のみの使用が望ましい場合がある。
【００４３】
[1104]  上述のように、クッションシステム１００はＧＥＲＤ及び／又は他の消化性疾患の治療法として使用されうる。この目的のためにクッションシステム１００を使用するため、使用者はクッションシステム１００に傾斜ＲＬＤ姿勢又は傾斜ＬＬＤ姿勢で配置されるために上記したステップに従うことができる。例えば、傾斜ＲＬＤ姿勢においては、治療用クッションシステム１００はそれが胃を空にして十二指腸に送ることを促進する一方で、胃食道逆流を最小にする又は排除するように機能することができる。例えば、傾斜ＲＬＤ姿勢においては、使用者の胃の出口弁（すなわち幽門括約筋）は使用者の腹部の実質的に底部右側の、使用者の食道括約筋の高さの下又はそれよりも低い高さに配置される。従って、使用者が十分な時間傾斜ＲＬＤ姿勢のままでいる場合、使用者の胃の内容物が胃から十二指腸に排出されうる。使用者がＧＥＲＤ及び／又は他の消化性疾患に関連する症状の軽減を感じるように胃の内容物を空けて十二指腸に送るため、例えば、約１〜４時間の時間を必要としてもよい。時間枠は、例えば、使用者の全体的な健康、糖尿病又は胃不全麻痺などの使用者が有しうる他の状態などの種々の要因又は使用者がクッションシステムにおいて休む前に消費した食品の種類及び量等に応じて変更することができる。別の例では、傾斜ＬＬＤ姿勢においては、使用者の逆流症状発現の頻度の減少が生じうる。
【００４４】
[1105]  図２〜図２５は、一実施形態による、治療用クッションシステム及び治療用クッションシステムを使用する方法を示す。治療用クッションシステム２００（本明細書中においては「クッションシステム」とも称される）は、支持要素２２０と、上昇要素２２２と、本体要素２２４と、を含む。クッションシステム１００に関して上記したように、クッションシステム２００は、例えば、ＧＥＲＤ及び／又は他の消化性疾患に関連する症状の処置のために使用されうる。
【００４５】
[1106]  支持要素２２０は、種々の異なる形状及び／又はサイズを有しうる。この実施形態においては、例えば、図７の側面図に示すように、支持要素２２０はほぼくさび形を有する。具体的には、図７に示すように、支持要素２２０は、底面２３９に対して角度θで配置された上面２３７を含む。いくつかの実施形態では、角度θは、例えば、約６度〜約３０度とされうる。換言すると、例えば、図７に示されるように、支持要素２２０は、支持要素２２０の第１端部部分２１５において高さＨ１、支持要素２２０の第２端部部分２１６において高さＨ２を有し、高さＨ２は高さＨ１を超える。高さＨ１は、例えば、２インチ以下とすることができ、高さＨ２は、例えば、約６インチ〜１４インチとすることができる。支持要素２２０は、また、支持要素２２０が胴体長（上記したような）を有し、使用時、使用者が支持要素２２０において側臥位姿勢を快適に維持するための適切な胴体角度を容易にすることができるように、例えば、約２０インチ〜４０インチとされうる長さＬを有する。
【００４６】
[1107]  支持要素２２０は、また、支持要素２２０の上面２３７に配置された凹状部２３０（例えば、図４、図５、図８及び図９を参照）を含む。上述のように、凹状部２３０は、使用者がクッションシステム２００に側臥位姿勢で横になっている際に使用者の下側腋窩の圧を解放するために使用されうる。支持要素２２０は、また、長時間側臥位姿勢で横になっている使用者の快適性を下側の肩又は腕の不快な圧又は痛みなく増加するのを補助することができる湾曲した外側部分を含む。この実施形態においては、支持要素２２０は、また、支持要素２２０の第２端部部分（例えば、図４及び図６を参照）に、クッションシステム２００の使用時、さらなる人間工学的腕及び肘配置に適応しうる傾斜かど２３３を含む。
【００４７】
[1108]  支持要素２２０は、例えば、図４及び図６〜図８に示されるような外部ケーシング２２１と、外部ケーシング２２１内に配置されうる、図９に示すようなクッション部材２２３と、を含む。支持要素１２０に関して上記したように、支持要素２２０の外部ケーシング２２１は１つ又は複数の材料によって形成されうる。例えば、外部ケーシング２２１は、第１材料によって形成された、クッションシステム２００の使用時に使用者が接する上部部分２３８（例えば、図７〜図８を参照）と、第１材料とは異なる第２材料によって形成された、使用時、支持要素２２０が配置される支持面（例えば、ベッドの上面）に接する底部部分２３６と、を含みうる。支持要素１２０に関して上記したように、外部ケーシング２２１の上部部分は、例えば、４方向伸展材料によって形成することができ、底部部分はより頑丈な材料によって形成することができる。上部部分２３８と底部部分２３６は、例えば、縫い目によって結合されうる。この実施形態においては、以下にさらに詳細に記載されるように、支持要素２２０は、支持要素２２０の側方側縁部（例えば、図２、図３及び図６〜図８を参照）に、上昇要素２２２を支持要素２２０に脱着可能に結合するために使用されうるボタン２２８を含む。
【００４８】
[1109]  支持要素１２０の外部ケーシング２２１は、また、クッション部材２２３が挿入されうる開口部（不図示）を含むことができ、かつ例えば、ジッパー、ボタン、スナップ、フラップなどの締結具（不図示）又は開口部を閉じるか部分的に閉じるための他の適切な結合方法を含みうる。この実施形態においては、前に記載したように、クッション部材２２３は、例えば、１つ又は複数の発泡材料によって形成される。図９に示すように、クッション部材２２３は、クッション部材２２３の上面部に規定された空洞２４４を含む。クッション部材２２３が外部ケーシング２２１内に配置されると空洞２４４は支持要素２２０の凹状部２３０を形成する。
【００４９】
[1110]  上昇要素２２２は、外部ケーシング２２７内に配置されうる枕挿入物２２５を含む。図１１に示すように、外部ケーシング２２７は枕挿入物２２５が挿入されうる開口部２４２を含みうる。クッションアセンブリ１００に関して前に記載したように、外部ケーシング２２７は、例えば、ジッパー、ボタン、スナップなどの締結具（不図示）、又は開口部を閉じるか部分的に閉じるための他の適切な結合方法を含みうる。支持要素２２０に関して上記したように、外部ケーシング２２７は外部ケーシング２２１と同じ又は類似の材料によって形成されうる。例えば、外部ケーシング２２７は、４方向伸展材料によって形成された第１部分２３２と、より頑丈な材料によって形成された第２部分２３４と、を含みうる。枕挿入物２２５は、上記したように４方向伸展材料によって形成されうるとともに、中に充填材材料（不図示）を含みうる内部ケーシング２３５を含みうる。充填材材料は、例えば、枕挿入物１２５に関して上記した材料などの、例えば、束状ポリエステル繊維材料とされうる。枕挿入物２２５の内部ケーシング２３５は、また、充填材材料が挿入されうる開口部（不図示）を含むことができ、かつ例えば、ジッパー、ボタン、スナップなどの締結具（不図示）、又は開口部を閉じるか部分的に閉じるための他の適切な結合方法を含みうる。別の実施形態においては、内部ケーシング２３５はそのような開口部を含まなくてもよい。例えば、ファイラー材料が内部ケーシング２３５内に挿入された後、内部ケーシング２３５は、例えば、縫い目によって閉じることができる。
【００５０】
[1111]  クッションアセンブリ１００に関して上記したように、上昇要素２２２の外部ケーシング２２７の４方向伸展材料は、内部ケーシング２３５の４方向伸展材料及び枕挿入物２２５の束状ポリエステル繊維充填材材料とともに、上昇要素２２２を展性があるものとし、かつ形状保持性があるものとすることができる。例えば、前に記載したように、使用者は、上昇要素２２２を所望の厚さ及び／又は形状に適合させることができる、及び／又はその使用者の要求及び好みを満たすために空洞又は隆起を形成することができる。
【００５１】
[1112]  例えば、図２〜図４に示されるように、上昇要素２２２は支持要素２２０に脱着可能に結合されうる。例えば、この実施形態においては、上昇要素２２２は上昇要素２２２の側方側縁部部分に沿ってストラップ２２６を含み、ストラップ２２６はそれぞれ、支持要素２２０上のボタン２２６に選択的に結合されうる複数組のボタン穴２４０を含む。上昇要素２２２は、また、ストラップ２２６を上昇要素２２２の側方側縁部に対して保持するために使用されうるバンド２１９（例えば、図１０〜図１２を参照）を含みうる。このようにして、以下にさらに詳細に記載されるように、使用者の特定の要求を満たすために上昇要素２２２と支持要素２２０は調節可能に互いに結合されうる。例えば、前に記載したように、上昇要素２２２は、支持要素２２０の第２端部部分２１６と上昇要素２２２との間に受容部２５８（例えば、空間、開口部、空隙、ポケット等）（例えば、図４を参照）が規定されるように支持要素２２０に結合されうる。使用者は、ＲＬＤ又はＬＬＤ姿勢で横になっている際に下側の肩及び腕を受容部２５８内に配置することができる。ストラップ２２６に強度を付与するために、ストラップ２２６は、例えば、上昇要素２２２の底部部分２３４と同じ材料（例えば、綿、ポリエステル又はナイロンの任意の組み合わせを使用して作製されたポプリン、帆布、ギャバジン又はツイル）によって形成されうる。同様に、支持要素２２０のボタン２２８は、上昇要素２２２の底部部分２３４と同じ材料によって形成されうる支持要素２２０の底部部分２３６に配置されうる。
【００５２】
[1113]  図５及び図１３に示すように、この実施形態においては、本体要素２２４は、頭側端部部分にほぼ１８０度の湾曲を有する円弧部２４１と、それぞれが円弧部２４１から尾側方向に延在する第１アーム２４７及び第２アーム２４８と、を含む。この実施形態においては、第１アーム２４７は第２アーム２４８の長さよりも短い長さを有する。例えば、第１アーム２４７は、例えば、第２アーム２４８の長さの約半分の長さを有しうる。以下にさらに詳細に記載されるように、本体要素２２４は支持要素２２０及び／又は上昇要素２２２における使用のために種々の異なる形状に再構成可能である。任意選択的に、いくつかの実施形態では、本体要素２２４は支持要素２２０及び上昇要素２２２から独立して使用されうる。
【００５３】
[1114]  本体要素２２４は、スリーブ部材２３１内に配置されうる枕挿入物２２９（例えば、図１２を参照）を含む。スリーブ部材２３１は筒状形状に形成することができ、枕挿入物２２９が挿入されうる第１開口部２４３及び第２開口部２４５を含む。開口部２４３は、例えば、開口部２４３を閉じるために使用されうるジッパーなどの締結具（不図示）を含みうる。図１２に示すように、締結具は、また、スリーブ部材２３１の、外縁部部分２４９に沿う部分２５１を枕挿入物２２９の挿入及び取出しを補助するために開くことができるようにスリーブ部材２３１の外縁部に沿って延在しうる。任意選択的に、開口部２４５を類似の手法で開閉するために使用されうる第２の締結具（不図示）が含まれうる。
【００５４】
[1115]  スリーブ部材２３１の筒状形状は、例えば、スリーブ部材２３１の外縁部部分２４９に沿う縫製又は縫い目によって形成されうる。従って、スリーブ部材２３１は、使用時に通常、使用者がスリーブ部材２３１に接触するスリーブ部材２３１の内縁部部分２５０に沿う縫い目を含まないものとなりうる。上述のように、縫い目を含まない内縁部部分２５０を有すると、使用者の快適性の向上を提供することができ、かつ使用時、本体要素２２４の歪みを除去又は低減することができる。この実施形態においては、スリーブ部材２３１は、また、内縁部部分２５０から外縁部部分２４９まで特定の角度で延在する縫い目特徴部２５２を含む。縫い目２５２は、例えば、４５度で延在しうる。
【００５５】
[1116]  枕挿入物２２９は、上昇要素２２２に関して上記した枕挿入物２２５と同じか類似するように形成されうる。例えば、枕挿入物２２９は充填材材料（不図示）を含みうる内部ケーシング２４６を含みうる。充填材材料は、枕挿入物１２９に関して前に記載したように、例えば、束状ポリエステル繊維材料とされうる。上述のように、内部ケーシング２４６は、例えば、４方向伸展材料によって形成されうる。スリーブ部材２３１は、例えば、上昇要素２２２及び支持要素２２０に関して上記した４方向伸展材料によって形成されうるか、その代わりに、例えば、スリーブ部材１３１に関して記載した２方向伸展材料によって形成されうる。従って、上昇要素２２２に関して上記したように、本体要素２２４は、また、所望の形状及び／又は厚さに合うように操作、適合、調節、分散等をされうる。不図示であるが、枕挿入物２２９の内部ケーシング２４６は、また、充填材材料が挿入されうる開口部を含むことができ、かつ例えば、ジッパー、ボタン、スナップなどの締結具（不図示）、又は開口部を閉じるか部分的に閉じるための他の適切な結合方法を含みうる。別の実施形態においては、内部ケーシング２４６はそのような開口部を含まなくてもよい。例えば、充填材材料が内部ケーシング２４６内に挿入された後、内部ケーシング２４６は、例えば、縫い目によって閉じることができる。
【００５６】
[1117]  図１３、図１４及び図１５Ａ〜図１５Ｃに示すように、クッションシステム２００を使用するため、使用者は上昇要素２２２を支持要素２２０に脱着可能に結合することができる。具体的には、使用者は、上昇要素２２２が支持要素２２２に対して所望の位置に配置されるように支持要素２２０上のボタン２２８に結合するためストラップ２２６の開口部２４０の組の１つを選択することができる。例えば、上昇要素２２２は、上昇要素２２２が使用者の頭及び首を配置するための所望の高さにあり、かつ支持要素２２０から所望の長手方向距離にあるように支持要素２２０にもたれかけて配置されうる。図１５Ａに示すように、使用者が第１の組のボタン穴２４０（ストラップ２２６の端部から最も遠い組）をボタン２２８に結合する場合、上昇要素２２２は最大高さにあることになる。図１５Ｂに示すように、使用者が第２の組のボタン穴２４０を使用する場合、上昇要素２２２は中間の高さにあることになり、使用者が第３組のボタン穴２４０（ストラップ２２６の端部に最も近い組）を使用する場合、上昇要素２２２は最低高さにあることになる。使用者は、上昇要素２２２を支持要素２２０に結合する前又は後のいずれかに、上昇要素２２２及び支持要素２２０を、例えば、使用者がクッションシステム２００を使用することを意図したベッド又は他の表面に配置することができる。
【００５７】
[1118]  例えば、図１４に示されるように、上昇要素２２２が支持要素２２０に結合されることにより、使用者は本体要素２２４を上昇要素２２２及び支持要素２２０の上に配置することができる。具体的には、例えば、図２、図３、図１４及び図１５Ａ〜図１５Ｃに示されるように、円弧部２４１は上昇要素２２２に配置され、本体要素２２４の第２アーム２４８は、第２アーム２４８の一部（その長さによる）が支持要素２２０から離れて延在するように上昇要素２２２及び支持要素２２０の左側に配置される（クッションシステムの平面図に見られるように）。以下、ＲＬＤ姿勢で配置される使用者用のクッションシステム２００が記載されるが、クッションシステム２００は、その代わりに、クッションシステム２００にＬＬＤ姿勢で配置される使用者のために類似の手法で組み立てられうることは理解されるべきである。
【００５８】
[1119]  使用者は、その後、使用者が支持要素２２０のほぼ中心部に整列されるように組み立てられたクッションシステム２００にＲＬＤ姿勢で横になることができる。例えば、図１６に示すように、使用者は使用者の右腕を本体要素２２４の円弧部２４１の下及び上昇要素２２２と支持要素２２０との間の受容部２５８内に挿入することができ、その後、図１７に示すように、本体要素２２４の第２アーム２４８の外側空間を通して出すことができる。換言すると、使用者の腕は受容部２５８内に配置することができ、使用者の手は空間から出して伸ばすことができる。使用者は使用者の体が支持要素２２０のほぼ中央にあることを確実にするため確認することができる。任意選択的に、使用者の下側腋窩が支持要素２２０の中央に配置された凹状部２３０内に載るように、使用者は支持要素２２０と上昇要素２２２との間の空間内における使用者の右腕及び肩の位置を調節することができる。使用者は、その後、図１８に示すように、第２アーム２４８（すなわち長いアーム）を使用者の脚の間に配置することができ、かつ使用者の膝が曲がった姿勢にある状態で第１アーム（短いアーム）を使用者の背中、股関節部及び／又は臀部の後ろ又は下に配置する又は抱え込むことができる。図１９に示すように、使用者は、使用者が快適な姿勢になるまで使用者の頭、首及び腕を位置決めすることができる。いくつかの実施形態では、使用者が支持要素２２０を滑り落ちることを制限又は防止し、使用者をクッションシステム２００上の所望の位置に維持することを補助するため、使用者の股関節部はクッションシステム２００が配置されるベッド又は支持面に固定又は支持されうる。例えば、いくつかの実施形態では、支持要素２２０は使用者がクッションシステム２００上に配置されると使用者の股関節部が少なくとも部分的にベッド又は支持面上に配置されるような長さを有しうる。
【００５９】
[1120]  使用者の腕が支持要素２２０と上昇要素２２２との間の空間内にあることにより、クッションシステム２００は使用者を傾斜ＲＬＤ位置に維持することができる。従って、使用者が支持部材２２０の角度を成す上面部２３７を滑り落ちる傾向が低減又は排除されうる。上述のように、使用者は、また、使用者の要求及び／又は好みに合わせるため、そのＧＥＲＤ又は他の病態のための使用に関連する特定の身体部分及び／又は部位を収容するための空洞又は隆起を形成するために本体要素２２４及び／又は上昇要素２２２内の束状ポリエステル繊維充填材材料を操作、適合、分散等をさせることができ、例えば、使用者は呼吸装置又は他の類似のデバイスを収容してもよい。
【００６０】
[1121]  図２０〜図２３は、クッションシステム２００を使用するための異なる代替構成を示す。図２０は、第２アーム２２８を円弧部２４１上において折り曲げた状態で配置された本体要素２２４を示す。図２１は、第２アーム２４８が支持要素２２０から大きく離れて延在しないように第２アーム２４８を第１アーム２４７の方に折り曲げた本体要素２２４を示す。図２２及び図２３は、上昇要素２２２及び支持要素２２０が別の位置に配置されたクッションシステム２００の使用を示す。具体的には、図２２は、第２端部部分２１６が支持面（例えば、ベッド又は床）において支持されている、起立位で配置された支持要素２２０と、支持要素２２０の近傍に起立位で配置された上昇要素２２２と、を示す。図２３に示すように、使用者が着座又は半着座姿勢でクッションシステム２００をバックレストとして使用することができるように本体要素２２４は上昇要素２２２及び支持要素２２０にもたれかけて配置されうる。図２４は、上昇要素２２２のないクッションシステム２００の使用を示す。図２４に示すように、本体要素２２４は支持要素２２０上に配置されうる。
【００６１】
[1122]  図２４（Ａ）〜図２４（Ｊ）はそれぞれ、クッションシステム２００を種々の構成及び姿勢で使用する使用者を示す。図２４（Ａ）は、傾斜ＬＬＤ姿勢で配置された使用者を示す。換言すると、本体要素２２４は支持要素２２０及び上昇要素２２２上に配置され、第２アーム２４８（すなわち長いアーム）は（クッションシステム２００の平面図において見ると）クッションシステム２００の右側にある。例えば、図１６〜図１９に関して上記したように、図２４（Ｂ）及び図２４（Ｃ）は、傾斜ＲＬＤ姿勢の使用者を示す。図２４（Ｄ）及び図２４（Ｅ）は、図２０に関して示される構成に類似する折り曲げた位置にある本体要素２２４と、クッションシステム２００に傾斜仰臥位で配置された使用者を示す。図２４（Ｆ）及び図２４（Ｇ）は、図２１に関して示した構成に類似する折り曲げた位置の本体要素２２４と、クッションシステム２００に腹臥位で配置された使用者を示す。図２４（Ｉ）は、図２２及び図２３に関して示した構成に類似する直立寄り掛かり構成（upright reclined configuration）にあるクッションシステム２００を示し、図２４（Ｈ）は、図２４（Ｉ）と類似の構成であるが、本体要素２２４が使用者の前まで巻回されているクッションシステム２００を示す。この位置は、例えば、使用者の手、本、又は授乳中の母親の場合は授乳中の乳児を支持するために使用されうる。
【００６２】
[1123]  図２４（Ｊ）は、クッションシステム２００を、図２４（Ｊ）では本体要素２２４の第２アーム２４８（長いアーム）が使用者の背中に沿って配置されており、かつ使用者の膝の間に前方に抱え込まれる又は配置されること以外は図２４（Ｃ）に示した姿勢に類似する右側位傾斜姿勢の使用者とともに示す。この姿勢は、使用者が本体要素２２４上において反転する必要なくＲＬＤ位置からＬＬＤ姿勢に（及びその逆に）変わることを可能にすることができる。
【００６３】
[1124]  図２５は、クッションシステム２００に類似するクッションシステム２００’の使用を示す。クッションシステム２００’は、支持要素２２０と同じか類似するように構成されうる支持要素２２０’を含む。この実施形態においては、支持要素２２０’は支持要素２２０よりも長い長さを有し、かつ上昇要素なしで使用されうる。図２５に示すように、支持要素２２０’は上記した本体要素２２４とともに、又は本明細書中に記載される別の本体要素とともに使用されうる。
【００６４】
[1125]  図２６〜図２８は、それぞれ、種々の縫い目特徴部を示す本体要素の異なる実施形態を示す。図２６〜図２８の本体要素はそれぞれ、上記した本体要素の実施形態と同じか類似するように構成されうるとともに上記した本体要素の実施形態と同じか類似するように機能しうる。図２６は、上記した本体要素２２４に類似し、本体要素３２４の外縁部部分３４９に沿う縫い目３５３と、特定の角度で配置され、かつ本体要素３２４の内縁部部分３５０から外縁部部分３４９まで延在する一対の縫い目特徴部３５２と、を有するスリーブ部材３３１を含む本体要素３２４を示す。図２７は、外縁部部分４４９に沿う縫い目４５３と、それぞれが特定の角度で配置され、かつ内縁部部分４５０から外縁部部分４４９まで延在する一対の縫い目特徴部４５２と、を有するスリーブ部材４３１を含む本体要素４２４を示す。本体要素４２４は、また、内縁部部分４５０から外縁部部分４４９まで延在し、かつ縫い目特徴部４５２間に配置された縫い目特徴部４５４を含む。図２８は、本体要素５２４の外縁部部分５４９に沿う縫い目５５３と、本体要素５２４の内縁部部分５５０から本体要素５２４の外縁部部分５４９まで特定の角度で延在する４つの縫い目特徴部５５２と、を有するスリーブ部材５３１を含む本体要素５２４を示す。
【００６５】
[1126]  上記した縫い目特徴部３５２、４５２、４５４、５５２は、各々の本体要素３２４、４２４、５２４に互いに実質的に等しい距離で又は互いに異なる距離で配置されうる。さらに、別の実施形態においては、より多数又は少数の縫い目特徴部が本明細書中に記載されるクッションシステムの本体要素に含まれうる。
【００６６】
[1127]  図２９及び図３０（Ａ）〜図３０（Ｉ）は、本明細書中に記載されるように単独で又はクッションシステム内において使用されうる本体要素の異なる実施形態を示す。図２９及び図３０（Ａ）〜図３０（Ｉ）に関して記載される本体要素のそれぞれは上記した本体要素の実施形態と同じか類似するように構成されうるとともに上記した本体要素の実施形態と同じか類似するように機能しうる。図２９は、本体要素６２４を示す。本体要素６２４は、第１アーム６４７と、第２アーム６４８と、内縁部部分６５０と外縁部部分６４９とを有する、スリーブ部材６３１と、を含み、スリーブ部材６３１には枕挿入物（不図示）が配置されうる。スリーブ部材６３１は、類似する、内縁部部分６５０から外縁部部分６４９まで特定の角度で延在する縫い目特徴部６５２を含み、かつ前実施形態において上記した外縁部部分６４９に沿って縫い目（不図示を含みうる。この実施形態においては、第２アーム６４８は第２アーム６４８の残部に対して特定の角度で配置された端部部分６５５を含む。端部部分６５５は、例えば、約２５度以下の角度で配置されうる。縫い目特徴部６５６は曲げ部６５５の始点に配置されうる。第１アーム６４７は丸い又は湾曲した端部部分６５７を含み、端部部分６５５の端部は、任意選択的に、同様に丸くされうる。図３０（Ａ）〜図３０（Ｉ）はそれぞれ、異なる形状及びサイズを有する本体要素の異なる実施形態を示す。
【００６７】
[1128]  図３１（Ａ）〜図３１（Ｅ）はそれぞれ、本明細書中に記載されるように単独で又はクッションシステム内において使用されうるとともに、種々の異なる充填材区分オプションを含む本体要素のさらなる異なる実施形態を示す。充填材区分は種々の充填材材料及び／又は異なる密度を有する充填材材料が本体要素内の目標とする位置に配置されることを可能にすることができる。充填材領域は、例えば、内部布帛バッフル、縫い付けられた区分（sewn-in segmentation）によって、又は自己内蔵型個別挿入部材によって形成されうる。本体要素内の各領域は製造時に、例えば、半永久的に縫合されたクロージャを介して本体要素内に接触及び／又は挿入されうる。その代わりに、各領域は使用者によって、例えば、ジッパー、スナップ、ボタン、フック及びループファスナー等を含むクロージャ部材を介して接触されうる（例えば、家庭内での使用時）。図３１（Ａ）〜図３１（Ｅ）に関して記載した本体要素の各実施形態は、本明細書中に記載される本体要素の他の実施形態と同じ又は類似の特徴を含みうるとともに、それと同じ又は類似して機能することができるため、図３１（Ａ）〜図３１（Ｅ）に関する特定の詳細は記載されない。
【００６８】
[1129]  図３１（Ａ）は、第１充填材領域Ａと、第２充填材領域Ｂと、を含む本体要素２１２４を示す。図３１（Ｂ）は、第１充填材領域Ａと、第２充填材領域Ｂと、を含む本体要素２２２４を示す。図３１（Ｃ）は、第１充填材領域Ａと、第２充填材領域Ｂと、第３充填材領域Ｃと、を含む本体要素２３２４を示す。図３１（Ｄ）は、第１充填材領域Ａと、第２充填材領域Ｂと、第３充填材領域Ｃと、を含む本体要素２４２４を示す。図３１（Ｅ）は、第１充填材領域Ａと、第２充填材領域Ｂと、第３充填材領域Ｃと、第４充填材領域Ｄと、第５充填材領域Ｅと、を含む本体要素２５２４を示す。
【００６９】
[1130]  図３１（Ａ）〜図３１（Ｅ）に関して示し、かつ記載した充填材領域は種々の量及びタイプの充填材領域を有する本体要素の実施形態例である。別の実施形態は異なる量、サイズ及び／又は形状の充填材領域を含みうることを理解すべきである。さらに、本明細書中に記載される本体要素の他の実施形態に関しては不図示であるが、本体要素の他の実施形態が充填材領域を含みうることは理解すべきである。
【００７０】
[1131]  図３２（Ａ）、図３２（Ｂ）及び図３３〜図３５は、治療用クッションシステムの別の実施形態を示す。治療用クッションシステム７００（本明細書中においては「クッションシステム」とも称される）は、支持要素７２０と、上昇要素７２２と、本体要素７２４と、を含む。支持要素７２０と、上昇要素７２２と、本体要素７２４と、はそれぞれ前実施形態において上記した支持要素、上昇要素及び本体要素と同じか類似するように構成されうるとともに、それらと同じか類似するように機能することができる。従って、支持要素７２０、上昇要素７２２及び／又は本体要素７２４に関する一部詳細は以下に記載されない。
【００７１】
[1132]  支持要素７２０は上記した支持要素と同じか類似するように形成されうる。例えば、支持要素７２０は、例えば、図３３に示されるように、第１端部部分７１５と、第２端部部分７１６と、底面７３９に対して角度を成した上面７３７と、を含みうる。
【００７２】
[1133]  この実施形態においては、本体要素７２４と上昇要素７２２は単一構成要素として形成され、本体要素７２４は、図３２（Ｂ）に示すような第１非折り曲げ構成と、図３２（Ａ）に示すような第２折り曲げ構成との間において動作されうる。使用のため使用者が本体要素７２４の一部を折ることを可能にする布帛ヒンジ部７６３が本体要素７２４の一部と上昇要素７２２の一部との間に形成されている。具体的には、本体要素７２４は、布帛ヒンジ部７６３によって上昇要素７２２に連結された第１アーム７４７と、第２アーム７４８と、を含む。図３２（Ａ）、図３２（Ｂ）及び図３３〜図３５に示すように、第２折り曲げ構成にある場合、第１アーム７４７は上昇要素７２２上に実質的に配置されている。
【００７３】
[1134]  使用者はクッションシステム７００を前実施形態に関して上記したものと同じ又は類似の手法で使用することができる。例えば、図３４に示すように使用者はクッションシステム７００をベッドに配置することができ、かつ組み合わせた上昇要素７２２と本体要素７２４を支持要素７２０の第２端部部分７１６の近傍に配置することができる。例えば、上昇要素７２２は、受容部（例えば、間隙、開口部、ポケット等）７５８が上昇要素７２２と支持要素７２０との間に規定されるように支持要素７２０から所望の距離で配置されうる。上記したように、及び例えば、図３４及び図３５に示されるように、本体要素７２４は上昇要素７２２上において折り曲げることができる。図３５に示すように、使用者は使用者の腕が受容部７５８内に配置された状態でクッションシステム７００に傾斜側位で配置されうる。
【００７４】
[1135]  図３６〜図４１は、ベッド長の支持要素を含む治療用クッションシステムの一実施形態を示す。治療用クッションシステム８００（本明細書中においては「クッションシステム」とも称される）は、支持要素８２０と、上昇要素８２２と、側部支持部材８６４と、を含む。支持要素８２０及び上昇要素８２２は前実施形態において上記した支持要素及び上昇要素それぞれと同じか類似するように構成されうるとともに、それと同じか類似するように機能することができる。従って、支持要素８２０及び上昇要素８２２に関する一部詳細は以下に記載されない。クッションシステム８００は、また、任意の枕８５９を含みうるか、枕８５９は使用者によって提供された枕とされうる。
【００７５】
[1136]  この実施形態においては、支持要素８２０及び上昇要素８２２は単一構成要素として形成され、支持要素８２０と上昇要素８２２との間に受容部８５８を規定する。受容部８５８はクッションシステム８００を使用する際、使用者が使用者の腕の一部を配置するための肩解放領域として使用されうる。この実施形態においては、支持要素８２０と上昇要素８２２は共同でくさび形を有しうる。具体的には、支持要素８２０は、第１端部部分８１５と第２端部部分８１６との間の、底面８３９に対して角度を成した上面８３７を含む。上昇要素８２２は、支持要素８２０の底面８３９と連続する、底面８１８に対して角度を成した上面８１７を含む。
【００７６】
[1137]  支持要素８２０及び上昇要素８２２は使用者による使用のための、例えば、ベッド、ボックススプリング、ベッドの土台又は床などの支持面Ｓ（図３７、図３８及び図４１に示すような）に配置されうる。図３７、図３８及び図４１に示すように、支持要素８２０と上昇要素８２２は共同で、それが使用されることになる支持面（例えば、ベッド）の長さと実質的に同じ長さを有する。別の実施形態においては、クッションシステム８００は、例えば、クッションシステム２００及び７００に関して上記したように、胴体サイズを有しうる。
【００７７】
[1138]  支持要素８２０は、前実施形態において上記したクッション部材（不図示）及び凹状部８３０を含みうる。クッション部材は、例えば、前実施形態において上記した１つ又は複数の発泡材料によって形成されうる。上昇要素８２２は枕挿入物（不図示）及び上昇発泡部（不図示）を含みうる。上昇発泡部は支持要素８２０のクッション部材と一体化されうるか、その代わりに、クッション部材と同じか類似するように構成された別個の発泡部（単数）又は発泡部（複数）とされうる。外部ケーシング８６１は支持部材のクッション部材と、上昇要素の枕挿入物及び発泡部との両方を入れることができる。例えば、外部ケーシング１２１及び外部ケーシング１２７に関して上記したように、外部ケーシング８６１は１つ又は複数の材料によって形成されうる。
【００７８】
[1139]  枕挿入物は、例えば、上昇発泡部に形成されたポケット内に配置されうるか、上昇発泡部の上に配置されうる。使用者の要求及び／又は好みに合わせるため、上昇要素８２２が、使用者が特定の身体部分及び／又は部位を収容するための空洞又は隆起を形成することを可能にするための弾性領域を含みうるように、枕挿入物は前実施形態において上記した内部ケーシング（不図示）及び充填材材料（不図示）を含みうる。
【００７９】
[1140]  使用時、側部支持部材８６４は支持要素８２０に配置することができ、かつ使用者を側臥位に維持するのを補助するために使用されうる。別の実施形態においては、側部支持部材８６４は支持要素８２０に固定的に取り付けられうるか、支持要素８２０と一体的に形成されうる。この実施形態においては、図４０に示すように、側部支持部材８６４はほぼ三角形の断面を有するくさび形を有する。別の実施形態においては、側部支持部材８６４は、例えば、図４２（Ａ）〜図４２（Ｄ）に示される側部支持部材８６４−１、８６４−２、８６４−３及び８６４−４の別の実施形態の断面図のような異なる形状、サイズ及び断面を有しうる。側部支持部材８６４は、外部ケーシング８６５と、挿入部材８６６（例えば、図４０を参照）と、を含みうる（例えば、図３９を参照）。外部ケーシング８６５は、例えば、上記した外部ケーシング１２５及び１２７又はスリーブ部材１３１と同じか類似するように構成されうる。側部支持部材８６４の挿入部材８６６は、例えば、１つ又は複数の発泡材料によって形成されうるか、例えば、枕挿入物１２５に関して上記した充填材材料などの充填材材料を含みうる。
【００８０】
[1141]  前の実施形態において上記したように、使用者は、使用者の右又は左腕が受容部８５８内に配置された状態で使用者の特定の要求に応じてクッションシステム８００に傾斜ＲＬＤ又はＬＬＤ姿勢で配置されうる。上記したように、側部支持部材８６４は支持要素８２０に配置することができ、かつ使用者をＲＬＤ又はＬＬＤ姿勢に維持するのを補助するために使用されうる。例えば、図３９に示すように、側部支持体８６４は支持要素８２０上の、支持要素８２０の右側又は左側のいずれかに配置されうる。
【００８１】
[1142]  図４１は、側部支持部材８６４及び枕８５９の代わりに任意の本体要素８２４を備えたクッションシステム８００を示す。本体要素８２４は前実施形態に関して上記した本体要素と同じか類似するように形成されうるとともに、前実施形態に関して上記した本体要素と同じか類似するように機能する。本体要素８２４を使用する場合、使用者は枕８５９を使用しなくてもよい。
【００８２】
[1143]  図４３〜図４７は、クッションシステム８００に類似する治療用クッションシステムの一実施形態を示す。治療用クッションシステム９００（本明細書中においては「クッションシステム」とも称される）は、支持要素９２０と、上昇要素９２２と、側部支持部材９６４と、を含む。支持要素９２０と上昇要素９２２はそれぞれ、前実施形態において上記した支持要素及び上昇要素と同じか類似するように構成されうるとともに、それらと同じか類似するように機能することができる。クッションシステム９００は、また、任意の枕９５９を含みうるか、枕９５９は使用者によって提供された枕とされうる。
【００８３】
[1144]  この実施形態においては、支持要素９２０と上昇要素９２２は単一構成要素として一体的に形成され、共同でくさび形を有する。この実施形態においては、例えば、図４３に示されるように、支持要素９２０と上昇要素９２２は共同で、第１端部部分９１５と第２端部部分９１６との間の、底面９３９に対して角度を成した上部表面９３７を有する。支持要素９２０及び上昇要素９３３は、この実施形態においては、支持要素９２０及び上昇要素９２２が、使用者の腕が配置されうる空間又は受容部を規定しないこと以外は、支持要素８２０及び上昇要素８２２に関して上記したものと同じか類似するように形成することができ、かつそれと同じ又は類似の特徴を含む。支持要素９２０及び上昇要素９２２は、使用者による使用のための、例えば、ベッドなどの支持面Ｓ（図４４、図４５及び図４７に示すように）に配置されうる。図４４、図４５及び図４７に示すように、支持要素９２０及び上昇要素９２２は共同でそれが使用されることになる支持面（例えば、ベッド）の長さと実質的に同じ長さを有する。別の実施形態においては、クッションシステム９００は、例えば、クッションシステム２００及び７００に関して上記したように、胴体サイズを有しうる。
【００８４】
[1145]  側部支持部材９６４は、また、側部支持部材８６４に関して上記したものと同じか類似するように構成されうるとともに、それと同じ特徴を含む。使用時、側部支持部材９６４は支持要素９２０に配置することができ、かつ使用者を側位に維持するのを補助するために使用されうる。別の実施形態においては、側部支持部材９６４は支持要素９２０に固定的に取り付けられうるか、支持要素９２０と一体的に形成される。
【００８５】
[1146]  前の実施形態において上記したように、使用者の特定の要求に応じて使用者は傾斜ＲＬＤ又はＬＬＤ姿勢でクッションシステム９００に配置されうる。上記したように、側部支持部材９６４は支持要素９２０に配置することができ、使用者を傾斜ＲＬＤ又はＬＬＤ姿勢で維持するのを補助するために使用される。例えば、図４６に示すように、側部支持体９６４は支持要素９２０上の、支持要素９２０の右側又は左側のいずれかに配置されうる。図４７は、側部支持部材９６４及び任意の枕９５９の代わりに任意の本体要素９２４を備えたクッションシステム９００を示す。本体要素９２４は前実施形態に関して上記した本体要素と同じか類似するように形成されうるとともに、前実施形態に関して上記した本体要素と同じか類似するように機能する。
【００８６】
[1147]  図４８〜図５２は、一実施形態によるスリング型治療用クッションシステムを示す。治療用クッションシステム１０００（本明細書中においては「クッションシステム」とも称される）は、支持要素１０２０と、上昇要素１０２２と、任意の本体要素１０２４（図５１に示される）と、を含む。この実施形態においては、支持要素１０２０と上昇要素１０２２は一体的に形成され、フレーム部材１０６８に結合されたスリング部材１０６７を含む。支持要素１０２０は、例えば、図４８の側面図に示されるようなくさび形を有する。
【００８７】
[1148]  スリング部材１０６７は、例えば、帆布又はナイロンなどの、例えば、任意の適切な伸展又は非伸展布帛材料などの、例えば、布帛材料によって形成されうる。フレーム部材１０６８は、例えば、１つ又は複数の金属、木材又はプラスチック材料によって形成されうる。スリング部材１０６７は種々の異なる結合方法によってフレーム部材１０６８に結合されうる。例えば、スリング部材１０６７は、スリング部材１０６７が使用者を支持するために十分にぴんと張られるように、繋ぎ材、ストラップ、リベット、ボタン、スナップ、フック及びループファスナー又は任意の他の適切な結合方法によってフレーム部材１０６８に結合されうる。スリング部材１０６７は、クッションシステム１０００の使用時、使用者の右又は左腕を使用者が配置することができる受容部１０５８（例えば、開口部、空間、間隙等）を規定する。クッションシステムは、また、使用者の腕が開口部１０５８を通して伸びる際、腕がパッド部材１０６９に載ることができるようにより低いパッド部材１０６９を含む。
【００８８】
[1149]  図５１に示すように、クッションシステム１０００は、また、本体要素１０２４を含みうる。本体要素１０２４は、例えば、図２９に示した本体要素６２４などの本明細書中に記載される他の本体要素と同じか類似するように形成されうるとともに、それと同じ又は類似の手法で使用されうる。例えば、本体要素１０２４は使用者を側位において維持するのを補助することができ、かつ使用者がクッションシステム１０００を使用する際、支持要素１０２２の角度を成す部分を滑り落ちるのを補助することができる。図５３に示すように、使用時、クッションシステム１０００はベッドなどの支持面Ｓに配置されうる。
【００８９】
[1150]  図５３は、ベッドサイズ長を有するクッションシステム１０００を示し、図５４は、胴体サイズ長を有するクッションシステム１０００の別の実施形態を示す。クッションシステム１０００’は、クッションシステム１０００と同じか類似するように形成することができるとともにクッションシステム１０００と同じか類似するように機能することができ、図５４に示すように支持面Ｓにおいて支持されうる。例えば、クッションシステム１０００’は、一体的に形成され、使用者の腕を配置するための肩解放領域として使用されうる開口部（不図示）を規定する支持要素１０２０’及び上昇要素１０２２’を含む。支持要素１０２０’及び上昇要素１０２２’は、フレーム部材１０６８’に結合されたスリング部材１０６７’と、開口部の下に配置されているパッド部材１０６９’と、を含む。
【００９０】
[1151]  図５５は、膨張式空気チャンバを含むクッションシステムの一実施形態を示す。治療用クッションシステム１１００（本明細書中においては「クッションシステム」とも称される）は支持要素１１２０及び上昇要素１１２２を含む。不図示であるが、クッションシステム１１００は、また、前実施形態において上記した本体要素を含みうる。この実施形態においては、支持要素１１２０はクッション部材１１２３と膨張式チャンバ１１７０とを含み、そのそれぞれは外部ケーシング１１２１内に収容されている。同様に、上昇要素１１２２はクッション部材１１７１と膨張式チャンバ１１７２とを含み、そのそれぞれは外部ケーシング１１２７内に収容されている。例えば、クッション部材１２３に関して上記したように、クッション部材１１２３及びクッション部材１１７１は、例えば、１つ又は複数の発泡材料によって形成されうる。例えば、外部ケーシング１２１及び外部ケーシング１２７に関して上記したように、外部ケーシング１１２１及び外部ケーシング１１２７は、それぞれ、例えば、１つ又は複数の材料によって形成されうる。
【００９１】
[1152]  前実施形態において上記したように、支持要素１１２０は、第１端部部分１１１５と、第２端部部分１１１６と、第１端部部分１１１５と第２端部部分１１１６との間の、底面１１３９に対して角度を成した上面１１３７と、を含みうる。前実施形態において上記したように、支持要素１１２０は、また、凹状部（不図示）と、支持要素１１２０の第２端部部分１１１６に配置された、傾斜した又は角度を成したかど（不図示）と、を含みうる。いくつかの実施形態では、上昇要素１１２２は、また、例えば、上昇要素１１２２のクッション部材１１７１に形成された、又はクッション部材１１７１の上に配置することができる、ポケット内に配置されうる枕挿入物部（不図示）を含みうる。使用者の要求及び／又は好みに合わせるため、上昇要素１１２２が、使用者が特定の身体部分及び／又は部位を収容するための空洞又は隆起を形成することを可能にするための弾性領域を含みうるように、枕挿入物部は前実施形態において上記した内部ケーシング（不図示）及び充填材材料（不図示）を含みうる。
【００９２】
[1153]  膨張式空気チャンバ１１７０は空気ポンプデバイス１１７３に結合されうる。膨張式チャンバ１１７２は空気ポンプデバイス１１７４に結合されうる。空気ポンプデバイス１１７３及び／又は空気ポンプデバイス１１７４は、例えば、使用者が膨張式空気チャンバ１１７０及び１１７２内及び外に空気を手動で圧送することができ、かつ膨張式空気チャンバ１１７０及び１１７２内の空気圧を調節することができる手動ポンプとされうる。別の実施形態においては、空気ポンプデバイス１１７３及び／又は空気ポンプデバイス１１７４は自動ポンプとすることができ、使用者が膨張式空気チャンバ１１７０及び１１７２内の空気圧を調節するための制御部（不図示）を含む。別の実施形態においては、両膨張式空気チャンバ１１７０及び１１７２内及び外に空気を圧送するために単一の空気ポンプデバイス（例えば、手動又は自動）が使用されうる。
【００９３】
[1154]  クッションシステム１１００は前実施形態において上記したクッションシステムと同じか類似するように使用されうる。この実施形態においては、使用者は、支持要素１１２０の第２端部部分１１１６（例えば、最高端部）が上昇要素１１２２から所望の距離に配置されるように支持要素１１２０及び上昇要素１１２２を支持面Ｓ（例えば、ベッド）に配置することができる。従って、クッションシステム１１００の使用時、受容部１１５８内に使用者が腕を配置することができるように支持要素１１２２と上昇要素１１２０との間の受容部１１５８が規定されうる。使用者は、また、支持要素１１２０及び上昇要素１１２２がそれぞれ所望の堅さを有するように空気チャンバ１１７０及び１１７２内の空気圧を調節することができる。前実施形態において上記したように、支持要素１１２０と上昇要素１１２２は共同でそれが使用されることになる支持面（例えば、ベッド）の長さと実質的に同じベッドサイズ長を有しうるか、その代わりに、例えば、クッションシステム２００及び７００に関して上記したように胴体サイズ長を有しうる。
【００９４】
[1155]  図５６は、空気チャンバを含むクッションシステムの別の実施形態を示す。前実施形態において上記したように、治療用クッションシステム１２００（本明細書中においては「クッションシステム」とも称される）は支持要素１２２０及び上昇要素１２２２を含み、また、本体要素（不図示）を含みうる。この実施形態においては、支持要素１２２０と上昇要素１２２２は一体的に形成され、それぞれ外部ケーシング１２６１内に収容された、クッション部材１２２３と、クッション部材１２７１と、膨張式チャンバ１１７０と、を含む。クッション部材１２２３とクッション部材１２７１は単一構成要素として一体的に形成されうるか、別個の構成要素とされうる。例えば、クッション部材１２３に関して上記したように、クッション部材１２２３及びクッション部材１２７１は、それぞれ、例えば、１つ又は複数の発泡材料によって形成されうる。例えば、外部ケーシング１２１及び外部ケーシング１２７に関して上記したように、外部ケーシング１６２１は、例えば、１つ又は複数の材料によって形成されうる。支持要素１２２０及び上昇要素１２２２は、クッションシステム１２００の使用時、使用者が腕を配置することができる受容部（例えば、開口部、空間、間隙、ポケット等）１２５８を規定する。
【００９５】
[1156]  前実施形態において上記したように、支持要素１２２０は、第１端部部分１２１５と、第２端部部分１２１６と、第１端部部分１２１５と第２端部部分１２１６との間の、底面１２３９に対して角度を成した上面１２３７と、を含みうる。前実施形態において上記したように、支持要素１２２０は、また、凹状部（不図示）と、第２端部部分１２１６に配置された傾斜した又は角度を成したかど（不図示）と、を含みうる。いくつかの実施形態では、上昇要素１２２２は、また、例えば、上昇要素１２２２のクッション部材１２７１に形成されるか、クッション部材１２７１の上に配置されうるポケット内に配置されうる枕挿入物部（不図示）を含みうる。使用者の要求及び／又は好みに合わせるため、上昇要素１２２２が、使用者が特定の身体部分及び／又は部位を収容するための空洞又は隆起を形成することを可能にするための弾性領域を含みうるように枕挿入物部は前実施形態において上記した内部ケーシング（不図示）及び充填材材料（不図示）を含みうる。
【００９６】
[1157]  膨張式空気チャンバ１２７０は空気ポンプデバイス１２７３に結合されうる。空気ポンプデバイス１２７３は、例えば、使用者が膨張式空気チャンバ１２７３内及び外に空気を手動で圧送することができ、かつ膨張式空気チャンバ１２７０内の空気圧を調節することができる手動ポンプとされうる。別の実施形態においては、空気ポンプデバイス１２７３は自動ポンプとすることができ、使用者が膨張式空気チャンバ１２７０内の空気圧を調節するための制御部（不図示）を含む。別の実施形態においては、上昇要素１２２２及び支持要素１２２０はそれぞれ膨張式空気チャンバを含むことができ、２つの別個の空気ポンプデバイス（例えば、手動又は自動）は、クッションシステム１１００に関して上記したものと類似の手法で両膨張式空気チャンバ内及び外に空気を圧送するために使用されうる。
【００９７】
[1158]  クッションシステム１２００は前実施形態において上記したクッションシステムと同じか類似するように使用されうる。この実施形態においては、使用者はクッションシステム１２００を支持面Ｓ（例えば、ベッド）に配置することができ、かつ支持要素１２２０及び上昇要素１２２２がそれぞれ所望の堅さを有するように空気チャンバ１２７０内の空気圧を調節することができる。前実施形態において上記したように、支持要素１２２０と上昇要素１２２２は共同で、それが使用されることになる支持面（例えば、ベッド）の長さと実質的に同じベッドサイズ長を有しうるか、その代わりに、例えば、クッションシステム２００及び７００に関して上記したように胴体サイズ長を有しうる。
【００９８】
[1159]  図５７及び図５８は、使用者がクッションシステムを所望の厚さ及び／又は堅さを有するように組み立てることを可能にするための積み重ね可能な部分を含むクッションシステムの一実施形態を示す。治療用クッションシステム１３００（本明細書中においては「クッションシステム」とも称される）は支持要素１３２０及び上昇要素１３２２を含む。不図示であるが、クッションシステム１３００は、また、前実施形態において上記した本体要素を含みうる。この実施形態においては、支持要素１３２０は複数の積み重ね可能な支持要素１３７５、１３７６及び１３７７を含み、上昇要素１３２２は複数の積み重ね可能な上昇要素１３７８、１３７９及び１３８０（本明細書中においては共同で積み重ね可能な要素とも称される）を含む。支持要素１３２０は３つの積み重ね可能な支持要素により示され、上昇要素１３２２は３つの積み重ね可能な上昇要素により示されるが、より多数又は少数の積み重ね可能な支持要素及び積み重ね可能な上昇要素が代わりに含まれうることは理解されるべきである。加えて、支持要素１３２０は上昇要素１３２２の積み重ね可能な上昇要素とは異なる数の積み重ね可能な支持要素を含みうる。
【００９９】
[1160]  支持要素（例えば、支持要素１２３）の前実施形態に関して上記したように、積み重ね可能な要素１３７５〜１３８０はそれぞれ、外部ケーシング内に収容されたクッション部材を含みうる。例えば、クッション部材１２３に関して上記したように、クッション部材は、例えば、１つ又は複数の発泡材料によって形成されうる。各積み重ね可能な要素１３７５〜１３８０は同じ又は異なる密度を有する発泡材料によって形成されたクッション部材を有しうる。積み重ね可能な支持要素１３７５〜１３７７は支持要素１３２０が所望の高さ又は厚さ及び／又は所望の堅さを有するように支持要素１３２０を形成するために選択的に積み重ねられうる。同様に、積み重ね可能な上昇部材１３７８〜１３８０は上昇要素１３２２が所望の高さ又は厚さ及び／又は所望の堅さを有するように上昇要素１３２２を形成するために選択的に積み重ねられうる。
【０１００】
[1161]  図５７に示すように、支持要素１３２０が第１端部部分１３１５から第２端部部分１３１６まで底面１３３９に対して角度を成した上面１３３７を備えたくさび形を有するように、支持要素１３２０の積み重ね可能な支持要素１３７５〜１３７７のそれぞれは角度を成す上面を含みうる。別の実施形態においては、積み重ね可能な要素１３７５〜１３７７のそれぞれは実質的に水平又は平坦の上面を有しうるか、段を成すか段付きの上面を有しうる。前実施形態において上記したように、支持要素１３２０の積み重ね可能な支持要素１３７５〜１３７７のそれぞれは、また、例えば、支持要素１３２０の最高又は第２端部部分１３１６の実質的に中心位置にある凹状部（不図示）と、傾斜した又は角度を成したかど（不図示）と、を含みうる。
【０１０１】
[1162]  積み重ね可能な要素１３７８〜１３８０のそれぞれは少なくとも部分的に実質的に水平又は平坦な上面を含む。別の実施形態においては、積み重ね可能な要素１３７８〜１３８０のそれぞれは角度を成す、又は段を成すか段付きとされうる上面を有しうる。いくつかの実施形態では、上昇要素１３２２は、また、上昇要素１３２２の上部として使用されることを意図した積み重ね可能な上昇要素１３７８などの、例えば、積み重ね可能な上昇要素の少なくとも１つに形成されたポケット内に配置されうる枕挿入物部（不図示）を含みうる。使用者の要求及び／又は好みに合わせるため、上昇要素１３２２の積み重ね可能な上昇要素１３７８が、使用者が特定の身体部分及び／又は部位を収容するための空洞又は隆起を形成することを可能にするための弾性領域を含みうるように、枕挿入物部は前実施形態において上記した内部ケーシング（不図示）及び充填材材料（不図示）を含みうる。いくつかの実施形態では、積み重ね可能な上昇要素１３７８は枕挿入物を含まなくてもよいが、その代わりに、積み重ね可能な上昇要素１３７８のクッション部材の上部部分に配置された充填材材料を含んでもよい。
【０１０２】
[1163]  クッションシステム１３００は前実施形態において上記したクッションシステムと同じか類似するように使用されうる。この実施形態においては、支持要素１３２０の第２端部部分１３１６（例えば、最高端部）が上昇要素１３２２から所望の距離に配置されるように使用者は支持要素１３２０及び上昇要素１３２２を支持面Ｓ（例えば、ベッド）に配置することができる。従って、クッションシステム１３００の使用時、受容部１３５８内に使用者が腕を配置することができるように支持要素１３２２と上昇要素１３２０との間の受容部１３５８が規定されうる。例えば、使用者は、支持要素１３２０が所望の高さ（又は所望の厚さを有する）にあり、かつ所望の堅さを有するように支持要素１３２０の積み重ね可能な支持要素１３７５〜１３７７の１つ又は複数を積み重ねることができる。使用者は、また、上昇要素１３２２が所望の高さ（又は所望の厚さを有する）にあり、かつ所望の堅さを有するように上昇要素１３２２の積み重ね可能な上昇要素１３７８〜１３８０の１つ又は複数を積み重ねることができる。使用者は積み重ね可能な要素１３７５〜１３８０を支持面Ｓに積み重ねることができる、又は支持面Ｓにまず積み重ね可能な要素１３７５〜１３８０を積み重ね、その後、組み立て済みの支持要素１３２０及び組み立て済みの上昇要素１３２２を配置することができる。前実施形態において上記したように、支持要素１３２０と上昇要素１３２２は共同でそれが使用されることになる支持面（例えば、ベッド）の長さと実質的に同じベッドサイズ長を有しうるか、その代わりに、例えば、クッションシステム２００及び７００に関して上記したように胴体サイズ長を有しうる。
【０１０３】
[1164]  図５９及び図６０は、使用者がクッションシステムを所望の厚さ及び／又は堅さを有するように組み立てることを可能にするための積み重ね可能な部分を含むクッションシステムの別の実施形態を示す。前実施形態において上記したように、治療用クッションシステム１４００（本明細書中においては「クッションシステム」とも称される）は支持要素１４２０及び上昇要素１４２２を含み、また、本体要素（不図示）を含みうる。この実施形態においては、支持要素１４２０と上昇要素１４２２は単一のクッション要素として形成され、支持要素１４２０及び上昇要素１４２２を形成するために互いに重ねられうる複数の積み重ね可能なクッション要素１４７５、１４７６及び１４７７を含む。積み重ね可能なクッション要素１４７５〜１４７７の少なくとも１つは上昇要素１４２２と支持要素１４２０との間に、クッションシステム１４００の使用時に使用者が腕を配置することができる受容部１４５８を規定しうる。例えば、図５９〜図６０に示すように、積み重ね可能なクッション要素１４７５は受容部１４５８を規定する。組み合わせられた支持要素１４２０と上昇要素１４２２は３つの積み重ね可能なクッション要素により示されるが、より多数又は少数の積み重ね可能なクッション要素が代わりに含まれうることは理解されるべきである。
【０１０４】
[1165]  積み重ね可能なクッション要素１４７５〜１４７７は、それぞれ、例えば、クッションシステム１３００に関して上記した積み重ね可能な支持要素及び積み重ね可能な上昇要素に類似するように形成されうる。例えば、クッション部材１２３に関して上記したように、例えば、積み重ね可能なクッション要素１４７５〜１４８０は１つ又は複数の発泡材料によって形成された各クッション部材を含みうる。クッション部材１４７５〜１４７７のそれぞれは同じ又は異なる密度を有する発泡材料によって形成されうる。
【０１０５】
[1166]  例えば、外部ケーシング１２１及び外部ケーシング１２７に関して上記したように、各クッション部材１４７５〜１４７７は、また、例えば、１つ又は複数の材料によって形成された外部ケーシングを含みうる。図５９に示すように、クッション部材１４７５〜１４７７のそれぞれは、支持要素１４２０が第１端部部分１４１５から第２端部部分１４１６まで底面１４３９に対して角度を成した上面１４３７を備えたくさび形を有するように底面に対して角度を成した上面を含みうる。別の実施形態においては、積み重ね可能な要素１４７５〜１４７７のそれぞれは、実質的に水平又は平坦の上面を有しうるか、段を成すか段付きの上面を有しうる。前実施形態において上記したように、積み重ね可能なクッション要素１４７５〜１４７７のそれぞれは、また、例えば、積み重ね可能なクッション要素の最高部の実質的に中心位置にある凹状部（不図示）と、傾斜した又は角度を成したかど（不図示）と、を含みうる。
【０１０６】
[1167]  積み重ね可能な要素１４７８〜１３８０のそれぞれは、少なくとも部分的に実質的に水平又は平坦な上面を含む。別の実施形態においては、積み重ね可能な要素１４７８〜１４８０のそれぞれは角度を成す、又は段を成すか段付きとされうる上面を有しうる。上昇要素１３２２に関して上記したように、上昇要素１４２２は、また、例えば、積み重ね可能なクッション要素１４７５に形成されたポケット内に配置されうる枕挿入物部（不図示）を含みうる。使用者の要求及び／又は好みに合わせるため、使用者が特定の身体部分及び／又は部位を収容するための空洞又は隆起を形成することを可能にするための弾性領域を上昇要素１４２２が含みうるように、枕挿入物部は前実施形態において上記した内部ケーシング（不図示）及び充填材材料（不図示）を含みうる。いくつかの実施形態では、積み重ね可能なクッション要素１４７５は枕挿入物を含まなくてもよいが、代わりに、クッション要素１４７５の上部部分に配置された充填材材料を含んでもよい。
【０１０７】
[1168]  クッションシステム１４００は上記したクッションシステム１３００と同じか類似するように使用されうる。この実施形態においては、使用者はクッションシステム１４００（すなわち、共同で支持要素１４２０及び上昇要素１４２２）を支持面Ｓ（例えば、ベッド）に配置することができる。例えば、支持要素１４２０及び上昇要素１４２２が所望の高さ（又は所望の厚さを有する）にあり、かつ所望の堅さを有するように使用者は積み重ね可能なクッション要素１４７５〜１４７７の１つ又は複数を積み重ねることができる。前実施形態において上記したように、支持要素１４２０と上昇要素１４２２は共同でそれが使用されることになる支持面（例えば、ベッド）の長さと実質的に同じベッドサイズ長を有しうるか、その代わりに、例えば、クッションシステム２００及び７００に関して上記したように、胴体サイズ長を有しうる。
【０１０８】
[1169]  図６１〜図６４は、クッションシステムにおいて使用者を側臥位に維持するのを補助するために使用されうる側部支持物部を備えた支持要素を含むクッションシステムの一実施形態を示す。治療用クッションシステム１５００（本明細書中においては「クッションシステム」とも称される）は、例えば、上昇要素１１２２又は１３２２などの上昇要素１５２２（図６２を参照）とともに使用されうる支持要素１５２０を含む。クッションシステム１５００は、また、支持要素１５２０の反対側に配置された、第１側部支持物部１５８２と、第２側部支持物部１５８３と、を含む。側部支持物部１５８２及び１５８３は、クッションシステム１５００の使用時に使用者を側臥位に維持するのを補助するために使用されうる。この実施形態においては、側部支持物部１５８２及び１５８３は、それぞれ、第１上面部１５８５と、支持要素１５２０の底面１５３９に対して第１上面部１５８６と異なる角度で配置された第２上面部１５８６と、を含む。例えば、図６１及び図６２に示されるように、側部支持物部１５８２及び１５８３は、また、それぞれ、角度を成した又は傾斜部１５８１を含む。
【０１０９】
[1170]  支持要素１５２０は、また、角度を成す上面１５３７と、凹状部１５３０と、支持要素１５２０の第２端部にある、傾斜した又は角度を成す部分１５３３と、を含む。前実施形態と同様に、支持要素１５２０は、例えば、１つ又は複数の発泡材料によって形成されうるクッション部材（不図示）と、クッション部材並びに側部支持物部１５８２及び１５８３を入れることができる外部ケーシング１５２１と、を含みうる。いくつかの実施形態では、側部支持物部１５８２及び１５８３は支持要素１５２０を形成する発泡材料と異なる密度を有する発泡材料によって形成されうる。別の実施形態においては、側部支持物部１５８２及び１５８３は、それぞれ、別個の構成要素（すなわち、上記した側部支持部材８６４及び９６４に類似する支持要素１５２０とは別）として形成されうる。
【０１１０】
[1171]  前実施形態において上記したクッションシステムと同じか類似するクッションシステム１５００が使用されうる。例えば、この実施形態においては、使用者は、支持要素１５２０の第２端部（例えば、最高端部）が上昇要素１５２２（図６２に示される）から所望の距離に配置されるように支持要素１５２０を支持面に配置することができる。従って、クッションシステム１５００の使用時、受容部１５５８内に使用者が腕を配置することができるように支持要素１５２０と上昇要素１５２２との間に受容部１５５８が規定されうる。例えば、使用者は使用者の体を側臥位（すなわち、右側側臥位又は左側側臥位のいずれか）に配置することができ、かつ使用者の腕を開放空間１５５８内に配置することができる。任意の本体要素（不図示）が、また、前実施形態において上記したものと同じ又は類似の手法で使用されうる。前実施形態において上記したように、支持要素１５２０は支持要素１５２０と上昇要素１５２２が共同でベッドサイズ長を有するか、その代わりに、胴体サイズ長を有しうるようなサイズにされうる。
【０１１１】
[1172]  図６５及び図６６はそれぞれ、側部支持物部を含むクッションシステムの一実施形態を示す。図６５は、単一構成要素として形成される支持要素１６２０及び上昇要素１６２２を含む治療用クッションシステム１６００（本明細書中においては「クッションシステム」とも称される）を示す。支持要素１６２０及び上昇要素１６２２はクッションシステム１６００の使用時に使用者が腕を配置することができる受容部１６５８を共同で規定する。前実施形態と同様に、クッションシステム１６００は、また、それぞれクッションシステム１６００の使用時、使用者を側臥位に維持するのに補助するために使用されうる、支持要素１６２０の反対側にある第１側部支持物部１６８２と、第２側部支持物部（図６５に不図示）と、を含む。前実施形態と同様に、第１側部支持物部１６８２及び第２側部支持物部（不図示）はそれぞれ、第１上面部１６８５と、支持要素１６２０の底面１６３９に対して第１上面部１６８５と異なる角度で配置された第２上面部１６８６と、を含む。第１側部支持物部１６８２（及び第２側部支持物部）は、また、それぞれ、角度を成した又は傾斜部１６８１を含む。
【０１１２】
[1173]  前実施形態において上記したように、支持要素１６２０は角度を成す上面１６３７を含み、かつ支持要素１６２０の第２端部にある凹状部（不図示）を含みうる。前実施形態と同様に、支持要素１６２０は、例えば、１つ又は複数の発泡材料によって形成されうるクッション部材（不図示）を含むことができ、外部ケーシング１６６１は、クッション部材と、第１側部支持物部１６８２と、第２側部支持物部（不図示）と、を入れることができる。外部ケーシング１６６１は、また、クッション部材（不図示）及び上昇要素１６２２の枕挿入物部（不図示）を入れることができる。
【０１１３】
[1174]  図６６は、単一構成要素として形成された支持要素１７２０と上昇要素１７２２とを含む治療用クッションシステム１７００（本明細書中においては「クッションシステム」とも称される）を示す。支持要素１７２０及び上昇要素１７２２はクッションシステム１７００の使用時に使用者が腕を配置することができる受容部１７５８を共同で規定する。前実施形態と同様に、クッションシステム１７００は、また、それぞれクッションシステム１７００の使用時、使用者を側位に維持するのを補助するために使用されうる、支持要素１７２０の反対側にある、第１側部支持物部１７８２と、第２側部支持物部（図６６に不図示）と、を含む。前実施形態と同様に、第１側部支持物部１７８２及び第２側部支持物部（不図示）はそれぞれ、第１上面部１７８５と、支持要素１７２０の底面１７３９に対して第１上面部１７８５と異なる角度で配置された第２上面部１７８６と、を含む。第１側部支持物部１７８２（及び第２側部支持物部）は、また、それぞれ、角度を成した又は傾斜部１７８１を含む。
【０１１４】
[1175]  前実施形態において上記したように、支持要素１７２０は角度を成す上面１７３７を含み、かつ支持要素１７２０の第２端部にある凹状部（不図示）を含みうる。前実施形態と同様に、支持要素１７２０は、例えば、１つ又は複数の発泡材料によって形成されうるクッション部材（不図示）を含むことができ、外部ケーシング１７６１は、クッション部材と、第１側部支持物部１７８２と、第２側部支持物部（不図示）と、を入れることができる。外部ケーシング１７６１は、また、クッション部材（不図示）及び上昇要素１７２２の枕挿入物部（不図示）を入れることができる。
【０１１５】
[1176]  クッションシステム１６００及び１７００はそれぞれクッションシステムの前実施形態に関して上記したものと同じ又は類似の手法で使用されうる。例えば、使用者は、クッションシステム１６００又は１７００（すなわち、支持要素１６２０、１７２０及び上昇要素１６２２、１７２２）を支持面に配置することができ、使用者は使用者の体を側位（すなわち、右側側臥位又は左側側臥位のいずれか）で配置することができ、かつ使用者の腕を受容部１６５８又は１７５８内に配置することができる。前実施形態において上記したように、クッションシステム１６００（すなわち、共同で支持要素１６２０及び上昇要素１６２２）及びクッションシステム１７００（すなわち、共同で支持要素１７２０及び上昇要素１７２２）はベッドサイズ長を有しうるか、その代わりに、胴体サイズ長を有しうる。任意の本体要素（不図示）は、また、前実施形態において上記したものと同じ又は類似の手法で使用されうる。
【０１１６】
[1177]  図６７〜図７０は、側部支持物部を備えるクッションシステムの別の実施形態を示す。この実施形態においては、治療用クッションシステム１８００（本明細書中においては「クッションシステム」とも称される）は単一構成要素として形成される支持要素１８２０及び上昇要素１８２２を含む。支持要素１８２０及び上昇要素１８２２はクッションシステム１８００の使用時に使用者が腕を配置することができる受容部１８５８を共同で規定する。クッションシステム１８００は、また、支持要素１８２０の一方の側に配置された側部支持物部１８８２を含む。側部支持物部１８８２は、クッションシステム１８００の使用時、使用者を右側位で維持するのを補助するために使用されうる。この実施形態においては、側部支持物１８８２は、第１上面部１８８５と、支持要素１８２０の底面１８３９に対して第１上面部１８８５と異なる角度で配置された第２上面部１８８６と、を含む。
【０１１７】
[1178]  前実施形態において上記したように、支持要素１８２０は角度を成す上面１８３７と、支持要素１８２０の第２端部にある凹状部１８３０と、を含む。前実施形態と同様に、支持要素１８２０は、例えば、１つ又は複数の発泡材料によって形成されうるクッション部材（不図示）を含むことができ、外部ケーシング１８６１（例えば、図６７及び図７０を参照）はクッション部材及び側部支持物部１８８２を入れることができる。外部ケーシング１８６１は、また、クッション部材（不図示）及び上昇要素１８２２の枕挿入物部（不図示）を入れることができる。この実施形態においては、側部支持物１８８２は、第１上面部と、支持要素１８２０の底面１８３９に対して第１上面部と異なる角度で角度を成した第２上面部と、を含む。
【０１１８】
[1179]  クッションシステム１８００はクッションシステムの前実施形態に関して上記したものと同じ又は類似の手法で使用されうる。例えば、使用者はクッションシステム１８００（すなわち支持要素１８２０及び上昇要素１８２２）を支持面に配置することができる。この実施形態においては、使用者は使用者の体を右側位に配置することができ、かつ使用者の右腕を開放空間１８５８内に配置することができる。任意の本体要素（不図示）は、また、前実施形態において上記したものと同じ又は類似の手法で使用されうる。
【０１１９】
[1180]  クッションシステム１８００（すなわち、共同で支持要素１８２０及び上昇要素１８２２）はベッドサイズ長を有する。図７１〜図７４は、クッションシステム１８００と同じか類似するように構成されうるが胴体サイズ長を有するクッションシステム１９００（本明細書中においては「クッションシステム」とも称される）を示す。クッションシステム１９００は、支持要素１９２０と、上昇要素１９２２と、側部支持物１９８２と、を含む。支持要素１９２０と上昇要素１９２２は単一構成要素として形成され、クッションシステム１９００の使用時に使用者が腕を配置することができる受容部１９５８を共同で規定する。側部支持物部１９８２は支持要素１９２０の一方の側に配置され、クッションシステム１９００の使用時、使用者を右側位で維持するのを補助するために使用されうる。この実施形態においては、側部支持物１９８２は支持要素１９２０の底面１９３９に対して角度を成した、角度を成す上面１９８５を含む。例えば、図７１及び図７２に示されるように、側部支持物１９８２は支持要素１９２０の末端又は終端を超えて延在する。
【０１２０】
[1181]  前実施形態において上記したように、支持要素１９２０は、角度を成す上面１９３７と、支持要素１９２０の第２端部にある凹状部１９３０と、を含む。前実施形態と同様に、支持要素１９２０は、例えば、１つ又は複数の発泡材料によって形成されうるクッション部材（不図示）を含むことができ、外部ケーシング１９６１（例えば、図７１及び図７４を参照）はクッション部材及び側部支持物部１９８２を入れることができる。外部ケーシング１９６１は、また、クッション部材（不図示）及び上昇要素１９２２の枕挿入物部（不図示）を入れることができる。
【０１２１】
[1182]  クッションシステム１９００はクッションシステムの前実施形態に関して上記したものと同じ又は類似の手法で使用されうる。例えば、使用者は、クッションシステム１９００（すなわち支持要素１９２０及び上昇要素１９２２）を支持面に配置することができる。この実施形態においては、使用者はクッションシステム１９００に使用者の体を右側位で配置することができ、かつ使用者の右腕を開放空間１９５８内に配置することができる。任意の本体要素（不図示）は、また、前実施形態において上記したものと同じ又は類似の手法で使用されうる。
【０１２２】
[1183]  使用者の右腕が開放空間１８５８、１９５８内にある状態で使用者がクッションシステム１８００、１９００に右側位で配置されうるように、クッションシステム１８００及びクッションシステム１９００はクッションシステム１８００、１９００の一方の側に側部支持物部を有するものとして上記したが、別の実施形態においては、クッションシステム１８００及び１９００は使用者がクッションシステム１８００、１９００に左側位で配置されうるように構成されうる。例えば、クッションシステム１８００及びクッションシステム１９００は、それぞれ、代わりに、クッションシステムの左側の側部支持物部と、使用者の左腕が開放空間内にある状態で使用者がクッションシステムに左側位で配置されうるように配置される開放空間と、を含みうる。そのような実施形態の例は図７５に示される。図７５に示すように、治療用クッションシステム２０００（本明細書中においては「クッションシステム」とも称される）は、受容部２０５８及び側部支持物部２０８２を共同で規定する支持要素２０２０及び上昇要素２０２０を含みうる。クッションシステム２０００は、クッションシステム１８００及び１９００と同じか類似する特徴並びにクッションシステム１８００及び１９００と同じか類似する機能を含みうる。
【０１２３】
[1184]  図７６、図７７及び図７８（Ａ）〜図７８（Ｅ）はそれぞれ、非滑り特徴部を含み、本明細書中に記載されるクッションシステムに含まれうる支持要素の異なる実施形態を示す。非滑り面特徴部は支持要素の上面及び／又は側部支持部材（例えば、８６４、９６４）又は支持物部材（例えば、１５８２、１５８３）の底面に配置されうる。例えば、非滑り面特徴部は側部支持部材（又は別個の支持物部材）の底面及び／又は側部支持要素が配置される支持要素の上面に配置されうる。従って、非滑り面特徴部は、また、例えば、側部支持部材（例えば、８６４、９６４）又は別個の支持物部材（例えば、１５８２、１５８３）を支持要素上の所望の位置に維持するために使用されうる。非滑り面特徴部は、また、例えば、本体要素を支持要素上の所望の位置に維持するために、及び／又は使用者を支持要素上の所望の位置に維持するのを補助するために使用されうる。
【０１２４】
[1185]  非滑り特徴部は、例えば、非滑り面を形成するために使用される模様化された触覚処理部（tactile treatment）を含みうる。模様化された処理部は、例えば、デジタルで印刷されうる、スクリーン印刷されうる、噴霧されうる、ブラシで塗布されうる、アイロンで貼付されうる、縫い付けられうる、又はそうでなければ、支持要素の上面の材料の少なくとも一部に適用されうる、例えば、インク、ゴム、シリコーン又は他の適切な材料を含みうる。非滑り表面処理部は、例えば、直線、湾曲線、対角線、例えば、正方形、円形、矩形、ブロック形、ポリゴン形、楕円形等及び／又は他の不明瞭な形状などの種々の形状を含みうる。いくつかの実施形態では、非滑り表面処理部は溝状又は格子状パターンを含みうる。いくつかの実施形態では、非滑り表面処理部を平坦又は平滑面として適用することができる、又は非滑り面が適用された表面に対して非滑り面が上昇されるように適用することができる。図７６、７７及び７８（Ａ）〜７８（Ｅ）は、非滑り面のいくつかのパターン及び構成例を示し、他のパターン及び構成が代わりに含まれうることが理解されるべきである。
【０１２５】
[1186]  図７６、図７７及び図７８（Ａ）〜図７８（Ｅ）に関して記載される支持要素の各実施形態は本明細書中に記載される支持要素の他の実施形態と同じ又は類似の特徴を含みうるものであり、かつ本明細書中に記載される支持要素の他の実施形態と同じ又は類似して機能することができるため、図７６、図７７及び図７８（Ａ）〜図７８（Ｅ）に関する特定の詳細は記載されない。さらに、本明細書中に記載される支持要素の他の実施形態に関しては不図示であるが、支持要素の他の実施形態は図７６、図７７及び図７８（Ａ）〜図７８（Ｅ）に関して記載されるような非滑り特徴部を含みうることが理解されるべきである。
【０１２６】
[1187]  図７６は、支持要素２６２０の上面の側面に配置された２つの非滑り面特徴部Ａと、上面の中心部に配置された非滑り面特徴部Ｂと、を含む支持要素２６２０を示す。この実施形態においては、非滑り面特徴部Ａは、例えば、本体要素（不図示）を支持要素２６２４上の所望の位置に維持するのを補助するために使用されうる。非滑り表面処理部Ｂは、例えば、支持要素２５２４の使用者を支持要素２６２４の実質的に中心の所望の位置に維持するために使用されうるとともに、また、使用者が支持要素の角度を成す上面において滑り落ちる傾向を防止又は低減するのを補助することができる。図７７は、支持要素２７２０の上面の側面に配置された２つの非滑り面特徴部Ａのみを含む支持要素２７２０を示す。この実施形態においては、非滑り面特徴部Ａは支持要素２６２０の非滑り面特徴部Ａに関して上記したものと同様の状態で機能しうる。この実施形態は、また、適用された非滑りパターンの例を示す。図７８（Ａ）〜図７８（Ｆ）はそれぞれ、種々の異なる非滑り面特徴部を有する支持要素の異なる実施形態の平面図を示す。
【０１２７】
[1188]  図７９及び図８０は、側部拡張要素を含む治療用クッションシステムを示す。使用者の体が支持要素の大部分を占める場合に使用者の体を支持するための及び／又は本体要素を支持するためのより大きな幅を提供するために支持要素に側部拡張要素が結合されうる。図７９に示すように、治療用クッションシステム２８００は、支持要素２８２０と、上昇要素２８２２と、側部拡張要素２８８７と、を含む。支持要素２８２０及び上昇要素２８２２は本明細書中に記載される前実施形態（例えば、支持要素２２０及び上昇要素２２２）と同じか類似するように形成することができるとともに、前実施形態と同じか類似するように機能することができるため、図７９及び図８０に関しては詳細に記載されない。
【０１２８】
[1189]  図８０に示すように、側部拡張要素２８８７は、第１拡張部材２８８８と、第２拡張部材２８８９と、第１拡張部材２８８８と第２拡張部材２８８９との間に延在する連結用ストラップ２８９０と、を含む。図７９に示すように、第１拡張部材２８８８が支持要素２８２０の第１側面に配置され、第２拡張部材２８８９が支持要素２８２０の対向する第２側面に配置されるように、側部拡張要素２８８７は支持要素２８２０に固定的に又は脱着可能に結合されうる。
【０１２９】
[1190]  第１拡張部材２８８８及び第２拡張部材２８８９はそれぞれ本明細書中に記載される支持要素（例えば、支持要素１２０）と同じか類似するように構成されうる。例えば、第１拡張部材２８８８及び第２拡張部材２８８９はそれぞれ、例えば、支持要素２８２０の角度に実質的に一致する角度を成す上面（例えば、くさび形）を有しうる。例えば、いくつかの実施形態では、第１拡張部材２８８８及び第２拡張部材２８８９はそれぞれ底面に対して６度〜３０度の角度を有する上面を有しうる。
【０１３０】
[1191]  第１拡張部材２８８８及び第２拡張部材２８８９はそれぞれ種々の異なる長さ、幅及び／又は厚さとされうる。支持要素１２０に関して上記したように、例えば、第１拡張部材２８８８及び第２拡張部材２８８９はそれぞれ胴体長を有しうるか、それぞれベッド長を有しうる。第１拡張部材２８８８及び第２拡張部材２８８９は、また、それぞれが外部ケーシング２８９１内に配置されたクッション部材（不図示）を含みうる。
【０１３１】
[1192]  外部ケーシング２８９１は、上記した外部ケーシング１２１と同じ又は類似の材料によって形成することができ、かつ使用時に使用者が接する、第１材料によって形成された上部部分と、支持面（例えば、ベッドの上面）に接する、第２材料によって形成された底部部分と、を含みうる。外部ケーシング２８９１の上部部分（例えば、上面）は、例えば、綿／スパンテックス、ナイロン／スパンテックス、ポリエステル／スパンテックス、又は綿、ナイロン又はポリエステルの任意のブレンドをスパンテックスと組み合わせたブレンドなどの、例えば、高適合性の４方向伸展材料によって形成されうるものであり、底部部分は耐久性を付与するため綿、ポリエステル又はナイロンの任意の組み合わせを使用して作製された、例えば、ポプリン、帆布、ギャバジン又はツイルなどのより頑丈な材料によって形成されうる。
【０１３２】
[1193]  外部ケーシング２８９１は、また、クッション部材が挿入されうる開口部（不図示）を含むことができ、かつ例えば、ジッパー、ボタン、スナップ、フラップ、フック及びループファスナーなどの締結具、又は開口部を閉じるか部分的に閉じるための他の適切な結合方法を含みうる。側部拡張要素２８８７のクッション部材はクッション部材１２３について上記したものと同じ又は類似の材料によって形成されうる。例えば、側部拡張要素２８８７のクッション部材は、例えば、ポリウレタン又はゴムラテックスなどの１つ又は複数の発泡材料によって形成することができ、いくつかの実施形態では、それぞれが異なる密度を有する複数の異なる発泡材料を含みうる。
【０１３３】
[1194]  側部拡張要素２８８７は、また、第１拡張部材２８８８及び第２拡張部材２８８９のそれぞれにストラップ２８９２を含む。ストラップ２８９２は、例えば、上記した上昇要素２２２のストラップ２２６と同じ又は類似の材料によって形成されうる。各ストラップ２８９２は、側部拡張要素２８８７を支持要素２８２０上のボタン（図７９及び図８０に不図示）（例えば、上記した支持要素２２０上のボタン２２８に類似する）に脱着可能に結合するために使用されうるボタン穴２８９３を含みうる（図８０の拡張部材２８８８のみに示される）。例えば、いくつかの実施形態では、側部拡張要素２８８７は上昇要素２８２２を支持要素２８２０に結合するために使用されるものと同じボタンを使用して支持要素２８２０に結合されうる。いくつかの実施形態では、異なる組のボタンが使用されうる。別の実施形態においては、ストラップ２８９２を支持要素２８２０に結合するために、例えば、フック及びループファスナー、スナップ、糸又は繋ぎ材、ジッパーなどの他の結合方法又は任意の他の適切な結合方法が使用されうる。
【０１３４】
[1195]  連結用ストラップ２８９０は、連結用ストラップ２８９０が第１拡張部材２８８８及び第２拡張部材２８８９のそれぞれを支持要素２８２０に対して非常にきつく保持することができるように、例えば、弾性材料によって形成されうる。支持要素の前実施形態に関して上記したように、第１拡張部材２８８８及び第２拡張部材２８８９のそれぞれは、また、非滑り表面処理部２８９４を含みうる（図８０の拡張部材２８８９のみに示される）。
【０１３５】
[1196]  いくつかの実施形態では、本明細書中に記載される治療用クッションシステムは本明細書中に記載されるクッションシステムの種々の構成要素の任意の組み合わせ又は下位組み合わせを含みうるキットとして提供されうる。例えば、いくつかの実施形態では、キットは、１つ又は複数の支持要素と、１つ又は複数の上昇要素及び／又は１つ又は複数の本体要素と、を含みうる。いくつかの実施形態では、例えば、クッションシステム１３００及び１４００に関して上記したように、キットは、支持要素に選択的に組み立てられうる複数のクッション部材及び／又は上昇要素に選択的に組み立てられうる複数の上昇クッション部材を含みうる。いくつかの実施形態では、キットは、また、別個の側部支持部材（例えば、８６４、９６４）及び／又は側部支持物部材（例えば、１５８２、１６８２、１７８２、１９８２、２０８２）を含みうる。
【０１３６】
[1197]  種々の実施形態を上記したが、それらは単に例として示され、限定されるものではないことを理解すべきである。上記の方法は特定の順序で発生する特定事象を示すが、特定事象の順序は変更してもよい。付加的に、可能な場合、事象の特定部分は並列のプロセスで同時に実施してもよいだけでなく順次上述のように実施してもよい。
【０１３７】
[1198]  上記した概要及び／又は実施形態は特定の配向又は位置において配置された特定の構成要素を示すが、構成要素の配置は変更してもよい。実施形態を特に示し、かつ記載したが、形態及び詳細の種々の変更を施してもよいことは理解されよう。本明細書中に記載される装置及び／又は方法のいずれの部分も相互に排他的な組み合わせを除く任意の組み合わせにおいて組み合わせてもよい。本明細書中に記載される実施形態は、記載された様々な実施形態の機能、構成要素及び／又は特徴の種々の組み合わせ及び／又は下位組み合わせを含みうる。
【０１３８】
[1199]  例えば、クッションシステムの実施形態のいずれかは、支持要素の底面に対して、例えば、６〜３０度の角度で角度を成した上面を備えた支持要素を含みうる。本明細書中に記載される本体要素のどれもが円弧部を含むことができ、円弧部は、例えば、約３０〜約１８０度において湾曲されうる。別の例では、クッションシステムの任意の実施形態は、１つ又は複数の側部支持物及び又は１つ又は複数の側部支持部材を含みうる。本体要素は、必ずしも図示されない種々の異なる長さを有する第１アーム及び第２アームを含みうる。
【図１】
2015506257.tif 000003
【図２】
2015506257.tif 000004
【図３】
2015506257.tif 000005
【図４】
2015506257.tif 000006
【図５】
2015506257.tif 000007
【図６】
2015506257.tif 000008
【図７】
2015506257.tif 000009
【図８】
2015506257.tif 000010
【図９】
2015506257.tif 000011
【図１０】
2015506257.tif 000012
【図１１】
2015506257.tif 000013
【図１２】
2015506257.tif 000014
【図１３】
2015506257.tif 000015
【図１４Ａ】
2015506257.tif 000016
【図１４Ｂ】
2015506257.tif 000017
【図１５Ａ】
2015506257.tif 000018
【図１５Ｂ】
2015506257.tif 000019
【図１５Ｃ】
2015506257.tif 000020
【図１６】
2015506257.tif 000021
【図１７】
2015506257.tif 000022
【図１８】
2015506257.tif 000023
【図１９】
2015506257.tif 000024
【図２０】
2015506257.tif 000025
【図２１】
2015506257.tif 000026
【図２２】
2015506257.tif 000027
【図２３】
2015506257.tif 000028
【図２４（Ａ）】
2015506257.tif 000029
【図２４（Ｂ）】
2015506257.tif 000030
【図２４（Ｃ）】
2015506257.tif 000031
【図２４（Ｄ）】
2015506257.tif 000032
【図２４（Ｅ）】
2015506257.tif 000033
【図２４（Ｆ）】
2015506257.tif 000034
【図２４（Ｇ）】
2015506257.tif 000035
【図２４（Ｈ）】
2015506257.tif 000036
【図２４（Ｉ）】
2015506257.tif 000037
【図２４（Ｊ）】
2015506257.tif 000038
【図２５】
2015506257.tif 000039
【図２６】
2015506257.tif 000040
【図２７】
2015506257.tif 000041
【図２８】
2015506257.tif 000042
【図２９】
2015506257.tif 000043
【図３０（Ａ）】
2015506257.tif 000044
【図３０（Ｂ）】
2015506257.tif 000045
【図３０（Ｃ）】
2015506257.tif 000046
【図３０（Ｄ）】
2015506257.tif 000047
【図３０（Ｅ）】
2015506257.tif 000048
【図３０（Ｆ）】
2015506257.tif 000049
【図３０（Ｇ）】
2015506257.tif 000050
【図３０（Ｈ）】
2015506257.tif 000051
【図３０（Ｉ）】
2015506257.tif 000052
【図３１（Ａ）】
2015506257.tif 000053
【図３１（Ｂ）】
2015506257.tif 000054
【図３１（Ｃ）】
2015506257.tif 000055
【図３１（Ｄ）】
2015506257.tif 000056
【図３１（Ｅ）】
2015506257.tif 000057
【図３２（Ａ）】
2015506257.tif 000058
【図３２（Ｂ）】
2015506257.tif 000059
【図３３】
2015506257.tif 000060
【図３４】
2015506257.tif 000061
【図３５】
2015506257.tif 000062
【図３６】
2015506257.tif 000063
【図３７】
2015506257.tif 000064
【図３８】
2015506257.tif 000065
【図３９】
2015506257.tif 000066
【図４０】
2015506257.tif 000067
【図４１】
2015506257.tif 000068
【図４２（Ａ）】
2015506257.tif 000069
【図４２（Ｂ）】
2015506257.tif 000070
【図４２（Ｃ）】
2015506257.tif 000071
【図４２（Ｄ）】
2015506257.tif 000072
【図４３】
2015506257.tif 000073
【図４４】
2015506257.tif 000074
【図４５】
2015506257.tif 000075
【図４６】
2015506257.tif 000076
【図４７】
2015506257.tif 000077
【図４８】
2015506257.tif 000078
【図４９】
2015506257.tif 000079
【図５０】
2015506257.tif 000080
【図５１】
2015506257.tif 000081
【図５２】
2015506257.tif 000082
【図５３】
2015506257.tif 000083
【図５４】
2015506257.tif 000084
【図５５】
2015506257.tif 000085
【図５６】
2015506257.tif 000086
【図５７】
2015506257.tif 000087
【図５８】
2015506257.tif 000088
【図５９】
2015506257.tif 000089
【図６０】
2015506257.tif 000090
【図６１】
2015506257.tif 000091
【図６２】
2015506257.tif 000092
【図６３】
2015506257.tif 000093
【図６４】
2015506257.tif 000094
【図６５】
2015506257.tif 000095
【図６６】
2015506257.tif 000096
【図６７】
2015506257.tif 000097
【図６８】
2015506257.tif 000098
【図６９】
2015506257.tif 000099
【図７０】
2015506257.tif 000100
【図７１】
2015506257.tif 000101
【図７２】
2015506257.tif 000102
【図７３】
2015506257.tif 000103
【図７４】
2015506257.tif 000104
【図７５】
2015506257.tif 000105
【図７６】
2015506257.tif 000106
【図７７】
2015506257.tif 000107
【図７８】
2015506257.tif 000108
【図７９】
2015506257.tif 000109
【図８０】
2015506257.tif 000110
【国際調査報告】
2015506257.tif 000111
2015506257.tif 000112